(57)【特許請求の範囲】
【請求項１】
衣服に着脱可能な衣服用ファンであって、
ハウジングと、
前記ハウジング内の羽根部と、
前記ハウジング内に位置し、前記羽根部を回転させるモータと、
前記ハウジング内に位置し、前記モータに電力を供給するバッテリと、
前記バッテリが出力する電力を前記モータに供給するための配線と
を備え、
前記配線は、前記衣服用ファンを吸気側から見た場合に前記羽根部と重なる第１部分を含み、
前記ハウジングは、
前記衣服の外側に配置される複数の吸気口の間に位置する複数の第１リブと、
前記複数の吸気口と対向し、かつ前記衣服の内側に配置される複数の排気口の間に位置する複数の第２リブと
を有し、
前記衣服の内側に配置される前記複数の第２リブは、前記衣服用ファンを排気側から見た場合に前記配線の前記第１部分を覆う第３リブを含む、衣服用ファン。
【請求項２】
衣服に着脱可能な衣服用ファンであって、
ハウジングと、
前記ハウジング内の羽根部と、
前記ハウジング内に位置し、前記羽根部を回転させるモータと、
前記ハウジング内に位置し、前記モータに電力を供給するバッテリと、
前記バッテリが出力する電力を前記モータに供給するための配線と
を備え、
前記配線は、前記衣服用ファンを吸気側から見た場合に前記羽根部と重なる第１部分を含み、
前記ハウジングは、
前記衣服の内側に配置される複数の排気口と、
前記衣服用ファンを排気側から見た場合に前記複数の排気口の間に位置するとともに前記配線の前記第１部分を覆い、前記衣服の内側に配置される第２部分と
を有する、衣服用ファン。
【請求項３】
請求項１に記載の衣服用ファンであって、
前記第３リブにおける前記羽根部の回転方向に沿った幅は、前記複数の第２リブの他のすべての第２リブの前記回転方向に沿った幅よりも大きい、衣服用ファン。
【請求項４】
請求項１及び請求項３のいずれか一つに記載の衣服用ファンであって、
前記バッテリは、前記羽根部の外側に位置し、
前記衣服用ファンを排気側から見た場合、前記第３リブは、前記モータと前記バッテリとの間に位置する、衣服用ファン。
【請求項５】
請求項１乃至請求項４のいずれか一つに記載の衣服用ファンであって、
前記ハウジングに収容され、前記モータを制御するための操作部と、
前記ハウジングに収容され、前記操作部が搭載された基板と
をさらに備え、
前記衣服用ファンを吸気側から見た場合、前記操作部の少なくとも一部及び前記基板の少なくとも一部は前記羽根部と重なる、衣服用ファン。
【請求項６】
請求項５に記載の衣服用ファンであって、
前記羽根部は、複数の羽根と、当該複数の羽根を連結する連結部とを有し、
前記衣服用ファンを前記吸気側から見た場合、前記操作部の少なくとも一部及び前記基板の少なくとも一部は前記連結部と重なる、衣服用ファン。
【請求項７】
請求項１乃至請求項４のいずれか一つに記載の衣服用ファンであって、
前記バッテリと電気的に接続され、操作部を有する回路基板をさらに備え、
前記ハウジングは、
前記モータを収容する第１収容部と、
前記回路基板を収容し、前記操作部が部分的に露出する第２収容部と
を有し、
前記配線は、前記第２収容部から前記第１収容部まで延びる、衣服用ファン。
【請求項８】
請求項１乃至請求項４のいずれか一つに記載の衣服用ファンであって、
前記バッテリと電気的に接続される回路基板をさらに備え、
前記回路基板は前記モータよりも吸気側に位置する、衣服用ファン。
【請求項９】
請求項８に記載の衣服用ファンであって、
前記回路基板は前記モータ及び前記羽根部よりも吸気側に位置する、衣服用ファン。
【請求項１０】
請求項１乃至請求項９のいずれか一つに記載の衣服用ファンであって、
前記配線の少なくとも一部は、前記モータよりも吸気側に位置する、衣服用ファン。
【請求項１１】
請求項１０に記載の衣服用ファンであって、
前記配線の少なくとも一部は、前記モータ及び前記羽根部よりも吸気側に位置する、衣服用ファン。
【請求項１２】
請求項１乃至請求項４のいずれか一つに記載の衣服用ファンであって、
前記ハウジングに収容され、前記衣服用ファンの動作状態を示す表示部と、
前記ハウジングに収容され、前記表示部が搭載された基板と
をさらに備え、
前記衣服用ファンを吸気側から見た場合、前記表示部の少なくとも一部及び前記基板の少なくとも一部は前記羽根部と重なる、衣服用ファン。
【請求項１３】
請求項１から請求項１２のいずれか一つに記載の衣服用ファンであって、
前記ハウジングは、
前記羽根部、前記モータ及び前記バッテリを保持し、前記衣服の内側から前記衣服に取り付けられる保持部と、
前記保持部に着脱可能であって、前記保持部を前記衣服に固定するための固定部と
を備え、
前記固定部は、前記衣服の外側から前記保持部に取り付けられる、衣服用ファン。
【請求項１４】
請求項１３に記載の衣服用ファンであって、
前記固定部は、前記保持部に取り付けられた場合に前記羽根部の一方の面を覆う、衣服用ファン。
【請求項１５】
請求項１から請求項１４のいずれか一つに記載の衣服用ファンであって、
電動工具と無線通信を行う無線通信部をさらに備え、
前記電動工具は、前記電動工具の動作に関する動作情報を送信し、
前記衣服用ファンは、前記無線通信部が前記電動工具から受け取った前記動作情報に基づいて前記モータの回転を制御する、衣服用ファン。
【請求項１６】
衣服と、
前記衣服に取り付けられた、請求項１から請求項１５のいずれか一つに記載の衣服用ファンと
を備える、ファン付き衣服。
【発明の詳細な説明】
【関連出願の相互参照】
【０００１】
本出願は、日本国出願２０１９−０９４６７０号（２０１９年５月２０日出願）の優先権を主張するものであり、当該出願の開示全体を、ここに参照のために取り込む。
【技術分野】
【０００２】
本開示は、衣服用ファンに関する。
【背景技術】
【０００３】
従来、衣服用ファンに関する技術が提案されている。
【特許文献１】国際公開第２０１８／１３５３４０号
【発明の概要】
【０００４】
衣服用ファン及びファン付き衣服が開示される。一の実施の形態では、衣服用ファンは、衣服に着脱可能な衣服用ファンであって、ハウジングと、ハウジング内の羽根部と、モータと、バッテリとを備える。モータは、ハウジング内に位置し、羽根部を回転させる。バッテリは、ハウジング内に位置し、モータに電力を供給する。
【０００５】
また、一の実施の形態では、ファン付き衣服は、衣服と、衣服に取り付けられた上述の衣服用ファンとを備える。
【図面の簡単な説明】
【０００６】
【図１】ファン付き衣服の外観の一例を示す図である。
【図２】衣服の外観の一例を示す図である。
【図３】衣服用ファンの構造の一例を示す図である。
【図４】衣服用ファンの構造の一例を示す図である。
【図５】衣服用ファンの構造の一例を示す図である。
【図６】衣服用ファンの構造の一例を示す図である。
【図７】固定部材の構造の一例を示す図である。
【図８】衣服用ファンの電気的構成の一例を主に示す図である。
【図９】衣服用ファンの構造の一例を示す図である。
【図１０】衣服用ファンの構造の一例を示す図である。
【図１１】衣服用ファンの構造の一例を示す図である。
【図１２】衣服用ファンの構造の一例を示す図である。
【図１３】衣服用ファンの構造の一例を示す図である。
【図１４】衣服用ファンの構造の一例を示す図である。
【図１５】衣服用ファンの構造の一例を示す図である。
【図１６】衣服用ファンの構造の一例を示す図である。
【図１７】衣服用ファンの構造の一例を示す図である。
【図１８】衣服用ファンの構造の一例を示す図である。
【図１９】衣服用ファンの構造の一例を示す図である。
【図２０】衣服用ファンの構造の一例を示す図である。
【図２１】衣服用ファンの構造の一例を示す図である。
【図２２】衣服用ファンの構造の一例を示す図である。
【図２３】衣服用ファンの構造の一例を示す図である。
【図２４】衣服用ファンの構造の一例を示す図である。
【図２５】衣服用ファンの構造の一例を示す図である。
【図２６】衣服用ファンの構造の一例を示す図である。
【図２７】衣服用ファンの構造の一例を示す図である。
【図２８】衣服用ファンの構造の一例を示す図である。
【図２９】本体部の構造の一例を示す図である。
【図３０】本体部の構造の一例を示す図である。
【図３１】バッテリ装置及び取付部の構造の一例を示す図である。
【図３２】衣服用ファンの構造の一例を示す図である。
【図３３】衣服用ファンの構造の一例を示す図である。
【図３４】衣服用ファンの構造の一例を示す図である。
【図３５】衣服用ファンの構造の一例を示す図である。
【図３６】回路基板の構成の一例を示す図である。
【図３７】携帯型電子機器の電気的構成の一例を示す図である。
【図３８】携帯型電子機器の表示例を示す図である。
【図３９】携帯型電子機器の表示例を示す図である。
【図４０】携帯型電子機器の表示例を示す図である。
【図４１】携帯型電子機器の表示例を示す図である。
【図４２】電動機械の電気的構成の一例を示す図である。
【図４３】衣服用ファンの電気的構成の一例を主に示す図である。
【図４４】衣服用ファンの電気的構成の一例を主に示す図である。
【図４５】衣服用ファンの電気的構成の一例を主に示す図である。
【図４６】衣服用ファンの電気的構成の一例を主に示す図である。
【図４７】衣服用ファンの電気的構成の一例を主に示す図である。
【図４８】衣服用ファンの制御部の動作の一例を示すフローチャートである。
【発明を実施するための形態】
【０００７】
図１はファン付き衣服１の外観を示す図である。図１に示されるように、ファン付き衣服１は、衣服２と、衣服２に取り付けられた衣服用ファン１０とを備える。衣服用ファン１０は例えば軸流ファンである。図２は衣服２の外観を示す図である。図１及び２には、衣服２の背面側が示されている。
【０００８】
図１に示されるように、衣服用ファン１０は、例えば、衣服２の背面３の下部に取り付けられる。図２に示されるように、衣服２の背面３の下部には、衣服用ファン１０を衣服２に取り付けるための取り付け穴４が設けられている。衣服用ファン１０は取り付け穴４に取り付けられる。本例では、衣服２の背面３の下部には、左右に並ぶ２つの取り付け穴４が設けられている。各取り付け穴４に衣服用ファン１０が取り付けられる。後述するように、衣服用ファン１０は、取り付け穴４の周縁部５を挟むように衣服２に取り付けられることから、当該周縁部５は補強されている。以後、衣服用ファン１０を単にファン１０と呼ぶことがある。
【０００９】
各ファン１０は、一方の側から空気を取り入れて、取り入れた空気を他方の側から排出する。各ファン１０は、空気を取り入れる側（つまり吸気側）が衣服２の外側に、空気を排出する側（つまり排気側）が衣服２の内側に位置するように、衣服２に取り付けられる。これにより、ファン付き衣服１では、各ファン１０が、取り付け穴４を通じて、空気を衣服２の外側から内側に取り込む。衣服２の内側に取り込まれた空気は、各ファン１０の動作によって、衣服２の袖口及び首元から、衣服２の外部に排出される。これにより、衣服２を着た人の体を冷却することが可能となる。衣服２の取り付け穴４が冷却風の吸気口となり、衣服２の袖口及び首元が冷却風の排気口となる。
【００１０】
なお、衣服２に取り付けられるファン１０の数は１個であってもよいし、３個以上であってもよい。また、衣服２に対するファン１０の取り付け位置は図１及び２の例には限られない。
【００１１】
以下に、ファン１０についての様々な構造例について説明する。衣服２に複数のファン１０が取り付けられる場合には、当該複数のファン１０には、互いに同じ構造を有する複数のファン１０が含まれてもよいし、互いに異なる構造を有する複数のファン１０が含まれてもよい。以後、ファン１０が空気を取り入れる側を前側とし、ファン１０が空気を排出する側を後ろ側として、ファン１０の構造について説明する。また、ファン１０が衣服２に取り付けられた場合において、衣服２の首元側をファン１０の上側とし、衣服２の裾側をファン１０の下側として、ファン１０の構造について説明する。
【００１２】
＜第１の構造例＞
図３〜６は本例に係るファン１０（ファン１０Ａと呼ぶことがある）の構造の一例を示す図である。図３にはファン１０Ａを前側から見た様子が示されており、図４にはファン１０Ａを後ろ側から見た様子が示されている。図５及び６には、ファン１０Ａの内部の構造が示されている。図５及び６では断面にハッチングが示されている。図５には、衣服２に取り付けられた状態のファン１０Ａが示されている。図５の衣服２よりも左側は衣服２の外側５００を示しており、図５の衣服２よりも右側は衣服２の内側５１０（言い換えれば、衣服２よりも人体側）を示している。また、図５の上側は衣服２の首元側を示しており、図５の下側は衣服２の裾側を示している。後述する、衣服２に取り付けられたファン１０の内部の構造を示す図についても、同様に、断面にハッチングが示されており、衣服２よりも左側及び右側はそれぞれ衣服２の外側５００及び内側５１０を示しており、図の上側及び下側はそれぞれ衣服２の首元側及び裾側を示している。ファン１０Ａは、衣服２に取り付けることも可能であるし、図６に示されるように、机等の上に立てて使用されることも可能である。図７はファン１０Ａが備える固定部材１１の外観の一例を示す斜視図である。図８はファン１０Ａの電気的構成を主に示すブロック図である。
【００１３】
図３〜８に示されるように、ファン１０Ａは、本体部１２と、当該本体部１２を衣服２に固定するための固定部材１１とを備える。本体部１２は、ハウジング１３と、羽根部１４と、モータ１５と、回路基板１６と、バッテリ１７と、ファン１０Ａを立てて置くためのスタンド部材１８とを備える。羽根部１４、モータ１５、回路基板１６及びバッテリ１７は、ハウジング１３に収容されている。固定部材１１は、ハウジング１３を衣服２に固定するための部材であるとも言える。
【００１４】
ハウジング１３は例えば樹脂で構成されている。ハウジング１３の外形は、前側から見ても、後ろ側から見ても略円形を成している。ハウジング１３は、前側部分１３０と、後ろ側部分１３１と、カバー部１３２とを備える。
【００１５】
前側部分１３０の外形は、前側から見た場合、略円形を成している。前側部分１３０は、前面部１３０ａと、筒状部１３０ｂと、フランジ部１３０ｃとを備える。前面部１３０ａには、複数の吸気口１３０ａａが設けられている。前面部１３０ａは、ハウジング１３の外側の空気をハウジング１３内に取り込む吸気部であると言える。以後、前面部１３０ａを吸気部１３０ａと呼ぶことがある。
【００１６】
筒状部１３０ｂは、前面部１３０ａの周縁を取り囲みつつ、当該周縁から後ろ側に突出するように当該周縁に設けられている。フランジ部１３０ｃは、前面部１３０ａを取り囲むように前面部１３０ａの周縁に設けられている。フランジ部１３０ｃは、前面部１３０ａの周縁から前面部１３０ａの径方向に突出している。図３に示されるように、フランジ部１３０ｃは、ファン１０Ａを吸気側（言い換えれば前側）から見た場合に吸気部１３０ａを取り囲んでいる。
【００１７】
後ろ側部分１３１の外形は、後ろ側から見た場合、略円形を成している。後ろ側部分１３１は、背面部１３１ａ及び筒状部１３１ｂを備える。筒状部１３１ｂは、背面部１３１ａの周縁を取り囲みつつ、当該周縁から前側へ突出するように当該周縁に設けられている。背面部１３１ａ及び筒状部１３１ｂには複数の排気口１３１ｃが設けられている。背面部１３１ａ及び筒状部１３１ｂは、ハウジング１３の外側に空気を排気する排気部であると言える。複数の排気口１３１ｃは、背面部１３１ａの中央部を避けて設けられている。前側部分１３０の筒状部１３０ｂと、後ろ側部分１３１の筒状部１３１ｂとは、互いに接続されており、ハウジング１３全体の筒状の周壁部（言い換えれば側面部）１３５を構成している。羽根部１４が回転すると、吸気口１３０ａａから空気がハウジング１３内に取り入れられて、ハウジング１３内に取り入れられた空気は、排気口１３１ｃからハウジング１３の外側に排気される。
【００１８】
前側部分１３０の筒状部１３０ｂの外周面には、固定部材１１が有する後述の雌ネジ部１１０ａと螺合する雄ネジ部１３０ｂｂが形成されている。前面部１３０ａの外側の面（言い換えれば前側の面）には、凹部１３０ａｂが設けられている。凹部１３０ａｂには、モータ１５、回路基板１６及びバッテリ１７が固定される。前面部１３０ａでは、凹部１３０ａｂが形成されている部分以外の部分に、複数の吸気口１３０ａａが設けられている。前面部１３０ａの内側の面（言い換えれば後ろ側の面）には、凹部１３０ａｂに応じた凸部１３０ａｃが設けられている。凸部１３０ａｃは後ろ側に突出している。フランジ部１３０ｃの前側の面の下側部分には、スタンド部材１８を保持する保持部１３０ｆが設けられている。スタンド部材１８は、保持部１３０ｆを基点としてユーザによって回動可能となっている。
【００１９】
カバー部１３２は、凹部１３０ａｂを覆うように前面部１３０ａに取り付けられている。これにより、凹部１３０ａｂ内のモータ１５、回路基板１６及びバッテリ１７がカバー部１３２で覆われる。ハウジング１３では、凹部１３０ａｂとそれを覆うカバー部１３２とによって、モータ１５、回路基板１６及びバッテリ１７を収容する収容空間１３３が形成されている。収容空間１３３において、回路基板１６は、モータ１５に対向するように配置されている。回路基板１６とモータ１５との間には、ハウジング１３を構成する部材は存在しない。バッテリ１７は回路基板１６の下側に位置する。カバー部１３２は、回路基板１６を覆う第１部分１３２ａと、バッテリ１７を覆う第２部分１３２ｂとを備える。第２部分１３２ｂはバッテリ１７の外形に応じて外側に湾曲している。
【００２０】
前側部分１３０と後ろ側部分１３１とは、羽根部１４を収容する収容空間１３４を構成している。羽根部１４は、複数の羽根１４０と、複数の羽根１４０を連結する連結部１４１とを備える。連結部１４１は、一方端がほぼ閉塞した筒状を成しており、前面部１３０ａの凸部１３０ａｃを覆っている。凹部１３０ａｂ内のモータ１５の回転軸１５０は凸部１３０ａｃの外側まで延びて羽根部１４の連結部１４１に接続されている。モータ１５の回転軸１５０が回転すると、それに応じて羽根部１４が回転する。
【００２１】
モータ１５は、例えば直流モータである。モータ１５は、回路基板１６によって駆動される。モータ１５は回路基板１６とリード線１９によって電気的に接続されている。バッテリ１７は回路基板１６に対して電力を供給する。バッテリ１７は、例えば、円柱状の電池である。バッテリ１７は、充電可能な二次電池であってもよいし、充電不可の一次電池であってもよい。バッテリ１７と回路基板１６はリード線によって電気的に接続されている。
【００２２】
回路基板１６は、図８に示されるように、基板１６０と、制御部１６１と、表示部１６２と、操作部１６３とを備える。制御部１６１、表示部１６２及び操作部１６３は基板１６０上に搭載されている。
【００２３】
制御部１６１は、制御回路とも言える。制御部１６１は、バッテリ１７から供給される電力に基づいてモータ１５を駆動する。制御部１６１は、モータ１５を回転させたり、モータ１５の回転を停止させたりすることができる。また、制御部１６１は、モータ１５の回転速度を制御することが可能である。制御部１６１は、例えば、モータ１５に与える電圧を変化させることによって、モータ１５の回転速度を制御することができる。モータ１５の回転速度が変化することによって、ファン１０Ａの風量が変化する。制御部１６１は、モータ１５を制御することによって、ファン１０Ａの風量を、例えば、「大」、「中」、「小」の３段階設定することができる。なお、ファン１０Ａの風量設定は、２段階の設定であってもよいし、４段階以上の設定であってもよい。
【００２４】
制御部１６１の全ての機能あるいは制御部１６１の一部の機能は、その機能の実現にソフトウェアが不要なハードウェア回路によって実現されてもよい。また、制御部１６１は、以下にさらに詳細に述べられるように、種々の機能を実行するための制御及び処理能力を提供するために、少なくとも１つのプロセッサを含んでもよい。
【００２５】
種々の実施形態によれば、少なくとも１つのプロセッサは、単一の集積回路（ＩＣ）として、または複数の通信可能に接続された集積回路（ＩＣ）及び／またはディスクリート回路（discrete circuits）として実行されてもよい。少なくとも１つのプロセッサは、種々の既知の技術に従って実行されることが可能である。
【００２６】
１つの実施形態において、プロセッサは、例えば、関連するメモリに記憶された指示を実行することによって１以上のデータ計算手続又は処理を実行するように構成された１以上の回路又はユニットを含む。他の実施形態において、プロセッサは、１以上のデータ計算手続き又は処理を実行するように構成されたファームウェア（例えば、ディスクリートロジックコンポーネント）であってもよい。
【００２７】
種々の実施形態によれば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイス若しくは構成の任意の組み合わせ、または他の既知のデバイス及び構成の組み合わせを含み、以下に説明される機能を実行してもよい。
【００２８】
表示部１６２は、ファン１０Ａの動作状態を表示することが可能であって、複数の発光部１６２ａを備える。各発光部１６２ａは例えば発光ダイオードである。制御部１６１は、各発光部１６２ａを個別に発光させたり、個別に発光を停止させたりすることができる。複数の発光部１６２ａには、図３に示されるように、バッテリ１７の残量を示す複数の発光部１６２ａａ，１６２ａｂ，１６２ａｃと、ファン１０Ａの風量を示す複数の発光部１６２ａｄ，１６２ａｅ，１６２ａｆとが含まれる。発光部１６２ａａ，１６２ａｂ，１６２ａｃ，１６２ａｄ，１６２ａｅ，１６２ａｆは、ハウジング１３の前側の面から露出している。具体的には、発光部１６２ａａ，１６２ａｂ，１６２ａｃ，１６２ａｄ，１６２ａｅ，１６２ａｆは、ハウジング１３のカバー部１３２の第１部分１３２ａから露出している。表示部１６２は、ハウジング１３における吸気側から視認可能な領域から露出していると言える。
【００２９】
制御部１６１は、バッテリ１７の出力電圧に基づいて、バッテリ１７の残量を特定することができる。制御部１６１は、バッテリ１７の残量が十分である場合、複数の発光部１６２ａａ，１６２ａｂ，１６２ａｃのすべてを発光させる。制御部１６１は、バッテリ１７の残量が半分近くになると、発光部１６２ａａ，１６２ａｂを点灯させて、発光部１６２ａｃを消灯させる。制御部１６１は、バッテリ１７の残量が少なくなると、発光部１６２ａａを点灯させて、発光部１６２ａｂ，１６２ａｃを消灯させる。
【００３０】
また制御部１６１は、ファン１０Ａの風量を「小」に設定すると、発光部１６２ａｄ，１６２ｅ，１６２ｆのうち発光部１６２ａｄだけを発光させる。制御部１６１は、ファン１０Ａの風量を「中」に設定すると、発光部１６２ａｄ，１６２ａｅ，１６２ａｆのうち発光部１６２ａｅだけを発光させる。制御部１６１は、ファン１０Ａの風量を「大」に設定すると、発光部１６２ａｄ，１６２ａｅ，１６２ａｆのうち発光部１６２ａｆだけを発光させる。
【００３１】
操作部１６３は、モータ１５を制御するための操作部であって、例えば操作ボタン１６３ａを備える。操作ボタン１６３ａは、例えば押しボタンである。図３に示されるように、操作部１６３は、ハウジング１３の前側の面から露出している。具体的には、操作部１６３の操作ボタン１６３ａは、ハウジング１３のカバー部１３２の第１部分１３２ａから露出している。操作部１６３は、ハウジング１３における吸気側から視認可能な領域から露出していると言える。制御部１６１は、操作ボタン１６３ａに対する操作を特定することができる。
【００３２】
操作ボタン１６３ａは、例えば、電源ボタンとして機能する。ファン１０Ａが電源オフ状態で、操作ボタン１６３ａが所定時間以上押されると、ファン１０Ａが電源オン状態となる。一方で、ファン１０Ａが電源オン状態で、操作ボタン１６３ａが所定時間以上押されると、ファン１０Ａは電源オフ状態となる。所定時間は、例えば１秒〜２秒程度に設定される。以後、操作ボタン１６３ａが所定時間以上押される操作を、長押し操作と呼ぶことがある。
【００３３】
ファン１０Ａが電源オフ状態の場合には、制御部１６１の大部分の機能が停止する。ファン１０Ａが電源オフ状態の場合、制御部１６１では、例えば、操作ボタン１６３ａに対する操作を特定するための機能が動作し、モータ１５及び表示部１６２を制御する機能が停止する。したがって、ファン１０Ａが電源オフ状態の場合、モータ１５は回転せずに、表示部１６２の各発光部１６２ａは点灯しない。ファン１０Ａが電源オフ状態から電源オン状態に変化すると、モータ１５が回転し、表示部１６２が表示を行う。一方で、ファン１０Ａが電源オン状態から電源オフ状態に変化すると、モータ１５の回転が停止し、表示部１６２の表示がオフとなる。制御部１６１は、ファン１０Ａを電源オフ状態にしたり、電源オン状態にしたりすることができる。
【００３４】
操作ボタン１６３ａは、ファン１０Ａの風量を調整するための調整ボタンとしても機能する。ファン１０Ａが電源オン状態である場合、操作ボタン１６３ａが所定時間未満押された後に操作ボタン１６３ａに対する押圧が解除されると、ファン１０Ａの風量が変化する。以後、操作ボタン１６３ａが所定時間未満押された後に操作ボタン１６３ａに対する押圧が解除される操作を、短押し操作と呼ぶことがある。
【００３５】
ファン１０Ａの風量が「小」に設定されている場合、操作ボタン１６３ａに対して短押し操作が行われると、制御部１６１は、モータ１５の回転速度を上げて、ファン１０Ａの風量を「中」に設定する。ファン１０Ａの風量が「中」に設定されている場合、操作ボタン１６３ａに対して短押し操作が行われると、制御部１６１は、モータ１５の回転速度を上げて、ファン１０Ａの風量を「大」に設定する。ファン１０Ａの風量が「大」に設定されている場合、操作ボタン１６３ａに対して短押し操作が行われると、制御部１６１は、モータ１５の回転速度を下げて、ファン１０Ａの風量を「小」に設定する。
【００３６】
なお、表示部１６２は、発光部１６２ａの代わりに、あるいは発光部１６２ａに加えて、セグメント方式あるいはドットマトリックス方式の表示部を備えてもよい。この場合、表示部１６２は、液晶表示パネルあるいは有機ＥＬ（Electroluminescence）パネルを備えてもよい。
【００３７】
操作部１６３は、複数の操作ボタン１６３ａを備えてもよい。また、表示部１６２がドットマトリックス方式の表示部を備える場合には、操作部１６３は、操作ボタン１６３ａの代わりに、あるいは操作ボタン１６３ａに加えて、ドットマトリックス方式の表示部に表示されるソフトウェアボタンを備えてもよい。
【００３８】
本体部１２を衣服２に固定するため固定部材１１はリング状の部材である。固定部材１１は、本体部１２に取り付けられるリング状の取付部１１０を備える。取付部１１０の内周面には、ハウジング１３の前側部分１３０の雄ネジ部１３０ｂｂに螺合する雌ネジ部１１０ａが設けられている。さらに、固定部材１１は、取付部１１０の外側面を取り囲むように、当該外周面から固定部材１１の径方向に突出するフランジ部１１１を備える。フランジ部１１１は、取付部１１０の外側面の前側の端部に設けられている。
【００３９】
スタンド部材１８は、ハウジング１３を支持することが可能な、ファン１０Ａを立てて置くための支持部材である。スタンド部材１８は、図３に示されるように、略Ｕ字状の棒状部材である。スタンド部材１８は、ハウジング１３の保持部１３０ｆによって保持される被保持部１８０を備える。被保持部１８０は直線状を成している。さらに、スタンド部材１８は、図６のようにファン１０Ａを立てて置く場合にハウジング１３を支持することが可能な一対の支持部１８１を備える。一対の支持部１８１は、互いに対向するように、被保持部１８０の長手方向の両端からそれぞれ略湾曲に延びている。スタンド部材１８は、ハウジング１３に保持された被保持部１８０を起点として、被保持部１８０の長手方向の周りに回動可能である。
【００４０】
ファン１０Ａが衣服２に取り付けられる場合には、スタンド部材１８の姿勢は、図３及び５に示されるように、一対の支持部１８１がハウジング１３の前側の面と対向するような姿勢に設定される。一方で、ファン１０Ａが机等の上に立てて置かれる場合には、図６に示されるように、スタンド部材１８の姿勢は、一対の支持部１８１がハウジング１３の前側の面から大きく離れるような姿勢に設定される。図６に示されるように、ファン１０Ａが立てて置かれる場合には、一対の支持部１８１は、ハウジング１３が倒れないようにハウジング１３を支持する。図６に示される矢印９Ａは、ファン１０Ａの羽根部１４が回転した場合に風が流れる方向を示す。
【００４１】
以上のような構成を備えるファン１０Ａが、衣服２の取り付け穴４に取り付けられる場合には、まず、本体部１２のハウジング１３が、衣服２の外側５００から取り付け穴４に挿入される。このとき、ハウジング１３は、後ろ側部分１３１側から取り付け穴４に挿入される。ハウジング１３が後ろ側部分１３１側から取り付け穴４に挿入される場合には、前側部分１３０のフランジ部１３０ｃは、取り付け穴４を通らずに、衣服２の取り付け穴４の周縁部５の外側５００の面と当たる。
【００４２】
次に、固定部材１１のフランジ部１１１が衣服２の周縁部５の内側５１０の面と当たるように、固定部材１１が、衣服２の内側５１０から、ハウジング１３に取り付けられる。具体的には、フランジ部１１１が周縁部５の内側５１０の面と当たりつつ、衣服２の内側５１０に突出している筒状部１３０ｂの外周面の雄ネジ部１３０ｂｂに固定部材１１の内周面の雌ネジ部１１０ａが螺合するように、固定部材１１が前側部分１３０に取り付けられる。そして、衣服２の内側５１０から見て時計周りに固定部材１１が締め込まれることによって、前側部分１３０のフランジ部１３０ｃと、固定部材１１のフランジ部１１１とが、衣服２の周縁部５を狭持する。これにより、ファン１０Ａが衣服２に固定される。衣服２に固定されたファン１０Ａの羽根部１４が回転すると、衣服２の外側５００の空気が吸気口１３０ａａ及び排気口１３１ｃを通じて、衣服２の内側５１０に取り入れられる。
【００４３】
一方で、ファン１０Ａが衣服２から取り外される場合には、衣服２の内側５１０から見て反時計周りに固定部材１１が回転させられて、固定部材１１がハウジング１３から取り外される。そして、ハウジング１３が取り付け穴４から取り出される。
【００４４】
なお、ファン１０Ａは、スタンド部材１８及びそれを保持する保持部１３０ｆを備えなくてもよい。
【００４５】
このように、本例では、バッテリ１７がハウジング１３内に位置することから、バッテリ１７から延びる配線（本例では、バッテリ１７と回路基板１６とを接続するリード線）を短くすることができる。よって、当該配線が破損する可能性を低減することができる。その結果、ファン１０Ａの動作不良が発生する可能性を低減することができる。
【００４６】
また、本例では、バッテリとファン本体とを接続するためのケーブルが不要となることから、ファン１０Ａを衣服２に取り付けやすくなる。
【００４７】
また、本例では、操作部１６３は、ハウジング１３における吸気側から視認可能な領域から露出している。したがって、操作部１６３は、衣服２の外側５００から操作可能である。これにより、ユーザは操作部１６３を操作しやすくなる。
【００４８】
また、本例では、表示部１６２は、ハウジング１３における吸気側から視認可能な領域から露出している。したがって、表示部１６２の表示は、衣服２の外側５００から視認可能である。これにより、ユーザは表示部１６２の表示を確認し易くなる。
【００４９】
また、本例では、ファン１０Ａを吸気側（言い換えば前側）から見た場合、図３に示されるように、操作部１６３が、ハウジング１３のフランジ部１３０ｃの外形の内側に位置する。これにより、吸気側から見た場合のファン１０Ａの大きさを小さくすることができる。
【００５０】
また、本例では、ファン１０Ａを吸気側から見た場合、操作部１６３は羽根部１４と重なっている。これにより、吸気側から見た場合のファン１０Ａの大きさを小さくすることができる。
【００５１】
また、本例では、ファン１０Ａを吸気側から見た場合、図３に示されるように、表示部１６２が、ハウジング１３のフランジ部１３０ｃの外形の内側に位置する。これにより、吸気側から見た場合のファン１０Ａの大きさを小さくすることができる。
【００５２】
また、本例では、ファン１０Ａを吸気側から見た場合、表示部１６２は羽根部１４と重なっている。これにより、吸気側から見た場合のファン１０Ａの大きさを小さくすることができる。
【００５３】
また、本例では、ファン１０Ａを吸気側から見た場合、カバー部１３２で覆われたバッテリ１７は、フランジ部１３０ｃの外形の内側に位置する。これにより、吸気側から見た場合のファン１０Ａの大きさを小さくすることができる。
【００５４】
また、本例では、ファン１０Ａを吸気側から見た場合、バッテリ１７が羽根部１４と重なっている。これにより、吸気側から見た場合のファン１０Ａの大きさを小さくすることができる。
【００５５】
また、本例では、ファン１０ごとに操作部１６３が設けられていることから、ユーザは、各ファン１０の制御を個別に行うことができる。
【００５６】
なお、バッテリ１７が充電可能な二次電池である場合、バッテリ１７に充電電圧を供給するための充電端子がファン１０Ａに設けられてもよい。充電端子は、ＵＳＢ（Universal Serial Bus）端子であってもよいし、ＡＣアダプタと接続するための端子であってもよい。同様に、ファン１０Ａとは異なる構造を有する後述のファン１０にも充電端子を設けてもよい。
【００５７】
＜第２の構造例＞
図９〜１２は本例に係るファン１０（ファン１０Ｂと呼ぶことがある）の外観の一例を示す図である。図９には、ファン１０Ｂを前側から見た様子が示されている。図１０及び１１には、ファン１０Ｂを後ろ側から見た様子が示されている。図１２はファン１０Ｂの内部の構造を示す図である。図１２には、衣服２に取り付けられた状態のファン１０Ｂが示されている。
【００５８】
図９〜１２に示されるように、ファン１０Ｂは、本体部２２と、当該本体部２２を衣服２に固定するための上述の固定部材１１とを備えている。本体部２２は、ハウジング２３と、上述の羽根部１４、モータ１５、回路基板１６及びバッテリ１７とを備える。羽根部１４、モータ１５、回路基板１６及びバッテリ１７は、ハウジング２３に収容されている。
【００５９】
ハウジング２３は例えば樹脂で構成されている。ハウジング２３は、前側部分２３０と、後ろ側部分２３１と、第１カバー部２３２と、第２カバー部２３３とを備える。図１１では、固定部材１１及び第２カバー部２３３が取り外された状態のファン１０Ｂが示されている。
【００６０】
前側部分２３０は、羽根部１４の前側の面を覆う第１部分２３００と、第１部分２３００よりも下側に位置する第２部分２３１０とを備える。第１部分２３００には複数の吸気口２３０１ａが形成されており、第２部分２３１０には吸気口が形成されていない。第１部分２３００は、後ろ側部分２３１と接続され、羽根部１４を収容する収容空間２３７を後ろ側部分２３１と構成する。第２部分２３１０は、第２カバー部２３３と接続され、回路基板１６及びバッテリ１７を収容する収容空間２３６を第２カバー部２３３と構成する。
【００６１】
第１部分２３００の外形は、前側から見た場合、略円形を成している。第１部分２３００は、複数の吸気口２３０１ａが形成された前面部２３０１と、筒状部２３０２と、フランジ部２３０３とを備える。前面部２３０１は、ハウジング２３の外側の空気をハウジング２３内に取り込む吸気部であると言える。複数の吸気口２３０１ａは、前面部２３０１において、その中央部を避けて設けられている。以後、前面部２３０１を吸気部２３０１と呼ぶことがある。
【００６２】
筒状部２３０２は、前面部２３０１の周縁を取り囲みつつ、当該周縁から後ろ側に突出するように当該周縁に設けられている。筒状部２３０２の外周面には、固定部材１１の雌ネジ部１１０ａと螺合する雄ネジ部２３０２ａが形成されている。フランジ部２３０３は、前面部２３０１をほぼ取り囲むように前面部２３０１の周縁に設けられている。フランジ部２３０３は、前面部２３０１の周縁から前面部２３０１の径方向に突出している。
【００６３】
第２部分２３１０は、フランジ部２３０３の下側の部分から下側に延びている。第２部分２３１０には、回路基板１６及びバッテリ１７が固定される。バッテリ１７は回路基板１６の下側に位置する。第２部分２３１０は、回路基板１６が固定された基板側部分２３１１と、バッテリ１７が固定されたバッテリ側部分２３１２とを備える。バッテリ側部分２３１２の前側の面は、バッテリ１７の外形に応じて湾曲している。
【００６４】
後ろ側部分２３１の外形は、後ろ側から見た場合、略円形を成している。後ろ側部分２３１は、背面部２３１ａ及び筒状部２３１ｂを備える。筒状部２３１ｂは、背面部２３１ａの周縁を取り囲みつつ、当該周縁から前側に突出するように当該周縁に設けられている。背面部２３１ａ及び筒状部２３１ｂには複数の排気口２３１ｃが設けられている。背面部２３１ａ及び筒状部２３１ｂは、ハウジング２３の外側に空気を排気する排気部であると言える。
【００６５】
第１部分２３００の筒状部２３０２と、後ろ側部分２３１の筒状部２３１ｂとは、互いに接続されており、収容空間２３７を取り囲む筒状の周壁部２３５を構成している。羽根部１４が回転すると、吸気口２３０１ａから空気がハウジング２３内に取り入れられて、ハウジング２３内に取り入れられた空気は、排気口２３１ｃからハウジング２３の外側に排気される。
【００６６】
後ろ側部分２３１の背面部２３１ａの外側の面の中央部には、凹部２３１ａａが設けられている。凹部２３１ａａにはモータ１５が固定される。背面部２３１ａの内側の面には、凹部２３１ａａに応じた凸部２３１ａｂが設けられている。羽根部１４の連結部１４１は凸部２３１ａｂを覆っている。凹部２３１ａａ内のモータ１５の回転軸１５０は凸部２３１ａｂの外側まで延びて羽根部１４の連結部１４１に接続されている。第１部分２３００の前面部２３０１においては、羽根部１４の連結部１４１と対向する部分を避けて、複数の吸気口２３０１ａが設けられている。
【００６７】
第１カバー部２３２は、凹部２３１ａａを覆うように後ろ側部分２３１の背面部２３１ａに取り付けられている。これにより、凹部２３１ａａ内のモータ１５が第１カバー部２３２で覆われる。ハウジング２３では、凹部２３１ａａとそれを覆う第１カバー部２３２によって、モータ１５を収容する収容空間２３８が形成されている。
【００６８】
第２カバー部２３３は、前側部分２３０の第２部分２３１０に取り付けられている。第２カバー部２３３は、回路基板１６を覆う第１部分２３３ａと、バッテリ１７を覆う第２部分２３３ｂとを備える。第２部分２３３ｂの後ろ側の面は、バッテリ１７の外形に応じて湾曲している。
【００６９】
回路基板１６の表示部１６２が備える発光部１６２ａａ，１６２ａｂ，１６２ａｃ，１６２ａｄ，１６２ａｅ，１６２ａｆは、図９に示されるように、第２部分２３１０の基板側部分２３１１の前側の面から露出している。また、回路基板１６の操作部１６３が備える操作ボタン１６３ａは、基板側部分２３１１の前側の面から露出している。
【００７０】
以上のような構成を備えるファン１０Ｂが、衣服２の取り付け穴４に取り付けられる場合には、まず、本体部２２のハウジング２３が、衣服２の外側５００から取り付け穴４に挿入される。このとき、ハウジング２３は、後ろ側部分２３１側から取り付け穴４に挿入される。ハウジング２３が後ろ側部分２３１側から取り付け穴４に挿入されるとき、前側部分２３０のフランジ部２３０３は、取り付け穴４を通らずに、衣服２の取り付け穴４の周縁部５の外側５００の面と当たる。また、前側部分２３０の第２部分２３１０は、取り付け穴４を通らずに、衣服２の外側５００に位置する。
【００７１】
次に、固定部材１１のフランジ部１１１が衣服２の周縁部５の内側５１０の面と当たるように、固定部材１１が、衣服２の内側５１０から、ハウジング２３に取り付けられる。具体的には、フランジ部１１１が周縁部５の内側５１０の面と当たりつつ、衣服２の内側５１０に突出している筒状部２３０２の雄ネジ部２３０２ａに固定部材１１の雌ネジ部１１０ａが螺合するように、固定部材１１が前側部分２３０の第１部分２３００に取り付けられる。そして、衣服２の内側５１０から見て時計周りに固定部材１１が締め込まれることによって、前側部分２３０のフランジ部２３０３と、固定部材１１のフランジ部１１１とが、衣服２の周縁部５を狭持する。さらに、第２カバー部２３３の第１部分２３３ａと、固定部材１１のフランジ部１１１とが、衣服２の周縁部５の下側の部分を狭持する。これにより、ファン１０Ｂが衣服２に固定される。衣服２に固定されたファン１０Ｂの羽根部１４が回転すると、衣服２の外側５００の空気が吸気口２０３１ａ及び排気口２３１ｃ通じて、衣服２の内側５１０に取り入れられる。
【００７２】
一方で、ファン１０Ｂが衣服２から取り外される場合には、衣服２の内側５１０から見て反時計周りに固定部材１１が回転させられて、固定部材１１がハウジング２３から取り外される。そして、ハウジング２３が取り付け穴４から取り出される。
【００７３】
このように、本例では、第１の構造例と同様に、バッテリ１７がハウジング２３内に位置することから、バッテリ１７から延びる配線を短くすることができる。よって、当該配線が破損する可能性を低減することができる。その結果、ファン１０Ｂの動作不良が発生する可能性を低減することができる。
【００７４】
また、本例では、バッテリとファン本体とを接続するためのケーブルが不要となることから、ファン１０Ｂを衣服２に取り付けやすくなる。
【００７５】
また、本例では、操作部１６３は、ハウジング２３における吸気側から視認可能な領域から露出している。したがって、操作部１６３は、衣服２の外側５００から操作可能である。これにより、ユーザは操作部１６３を操作しやすくなる。
【００７６】
また、本例では、表示部１６２は、ハウジング２３における吸気側から視認可能な領域から露出している。したがって、表示部１６２の表示は、衣服２の外側５００から視認可能である。これにより、ユーザは表示部１６２の表示を確認し易くなる。
【００７７】
また、本例では、ファン１０ごとに操作部１６３が設けられていることから、ユーザは、各ファン１０の制御を個別に行うことができる。
【００７８】
また、本例では、ファン１０Ｂを吸気側から見た場合、表示部１６２が、吸気部２３０１の外側に位置する。これにより、表示部１６２がファン１０Ｂの吸気の障害となる可能性を低減することができる。よって、ファン１０Ｂの性能が向上する。
【００７９】
また、本例では、ファン１０Ｂを吸気側から見た場合、操作部１６３が、吸気部２３０１の外側に位置する。これにより、操作部１６３がファン１０Ｂの吸気の障害となる可能性を低減することができる。よって、ファン１０Ｂの性能が向上する。
【００８０】
また、本例では、ファン１０Ｂを吸気側から見た場合、ハウジング２３の第２部分２３１０で覆われたバッテリ１７が、吸気部２３０１の外側に位置する。これにより、バッテリ１７がファン１０Ｂの吸気の障害となる可能性を低減することができる。よって、ファン１０Ｂの性能が向上する。
【００８１】
なお、本例では、回路基板１６は、モータ１５の下側に位置することから、吸気側から見た場合、回路基板１６はモータ１５と対向する部分を有していない。これに対して、上記の第１の構造例に係るファン１０Ａでは、吸気側から見た場合、回路基板１６は、モータ１５と対向する部分を有している。回路基板１６が、モータ１５と対向する部分を有することによって、前側から見た場合のファン１０の大きさを小さくすることができる。
【００８２】
＜第３の構造例＞
図１３〜１６は本例に係るファン１０（ファン１０Ｃと呼ぶことがある）の構造の一例を示す図である。図１３には、ファン１０Ｃを前側から見た様子が示されている。図１４及び１５には、ファン１０Ｃを後ろ側から見た様子が示されている。図１６はファン１０Ｃの内部の構造を示す図である。図１６には、衣服２に取り付けられた状態のファン１０Ｃが示されている。
【００８３】
図１３〜１６に示されるように、ファン１０Ｃは、ハウジング３３と、上述の羽根部１４、モータ１５、回路基板１６及びバッテリ１７とを備える。羽根部１４、モータ１５、回路基板１６及びバッテリ１７は、ハウジング３３に収容されている。
【００８４】
ハウジング３３は例えば樹脂で構成されている。ハウジング３３は、前側部分３３０と、後ろ側部分３３１と、カバー部３３２とを備える。図１５では、カバー部３３２が取り外された状態のファン１０Ｃが示されている。
【００８５】
後ろ側部分３３１には、羽根部１４、モータ１５、回路基板１６及びバッテリ１７が固定される。後ろ側部分３３１は、羽根部１４、モータ１５、回路基板１６及びバッテリ１７を保持する保持部であると言える。前側部分３３０は後ろ側部分３３１対して着脱可能である。前側部分３３０は、羽根部１４等を保持する後ろ側部分３３１を衣服２に固定するための固定部として機能する。以後、後ろ側部分３３１を保持部３３１と呼ぶことがある。また、前側部分３３０を固定部３３０と呼ぶことがある。
【００８６】
固定部３３０の外形は、前側から見た場合、略円形を成している。固定部３３０は、前面部３３０ａと、筒状部３３０ｂと、フランジ部３３０ｃとを備える。前面部３３０ａには、その中央部を避けて、複数の吸気口３３０ａａが設けられている。前面部３３０ａは、ハウジング３３の外側の空気をハウジング３３内に取り込む吸気部であると言える。以後、前面部３３０ａを吸気部３３０ａと呼ぶことがある。
【００８７】
筒状部３３０ｂは、前面部３３０ａの周縁を取り囲みつつ、当該周縁から後ろ側に突出するように当該周縁に設けられている。筒状部３３０ｂの外周面には、保持部３３１が有する後述の雌ネジ部３３１２ａと螺合する雄ネジ部３３０ｂｂが形成されている。フランジ部３３０ｃは、前面部３３０ａを取り囲むように前面部３３０ａの周縁に設けられている。フランジ部３３０ｃは、前面部３３０ａの周縁から前面部３３０ａの径方向に突出している。
【００８８】
保持部３３１は、羽根部１４及びモータ１５を保持する第１保持部３３１０と、回路基板１６及びバッテリ１７を保持する第２保持部３３２０とを備える。第１保持部３３１０と第２保持部３３２０とは一体成形されている。
【００８９】
第１保持部３３１０の外形は、後ろ側から見た場合、略円形を成している。第１保持部３３１０は、背面部３３１１と、筒状部３３１２と、フランジ部３３１３とを備える。筒状部３３１２は、背面部３３１１の周縁を取り囲みつつ、当該周縁から前側に突出するように当該周縁に設けられている。背面部３３１１及び筒状部３３１２には、複数の排気口３３１４が設けられている。背面部３３１１及び筒状部３３１２は、ハウジング３３の外側に空気を排出する排気部であると言える。筒状部３３１２の内周面には、固定部３３０の雄ネジ部３３０ｂｂと螺合する雌ネジ部３３１２ａが形成されている。固定部３３０の筒状部３３０ｂと、保持部３３１の筒状部３３１２とは、雄ネジ部３３０ｂｂと雌ネジ部３３１２ａが螺合することによって互いに接続され、ハウジング３３全体の筒状の周壁部（言い換えれば側面部）３３５を構成する。羽根部１４が回転すると、吸気口３３０ａａから空気がハウジング３３内に取り入れられて、ハウジング３３内に取り入れられた空気は、排気口３３１４からハウジング３３の外側に排気される。
【００９０】
フランジ部３３１３は、筒状部３３１２を取り囲むように筒状部３３１２の外周面に設けられている。フランジ部３３１３は、筒状部３３１２の外周面から筒状部３３１２の径方向に突出している。フランジ部３３１３は、筒状部３３１２の前側の端よりも少しだけ後ろ側に位置する。よって、筒状部３３１２の前側の端部３３１２ｂにはフランジ部３３１３が設けられていない。
【００９１】
第１保持部３３１０の背面部３３１１の外側の面の中央部には、凹部３３１１ｂが設けられている。凹部３３１１ｂにはモータ１５が固定される。背面部３３１１の内側の面には、凹部３３１１ｂに応じた凸部３３１１ｃが設けられている。羽根部１４の筒状の連結部１４１は凸部３３１１ｃを覆っている。凹部３３１１ｂ内のモータ１５の回転軸１５０は凸部３３１１ｃの外側まで延びて羽根部１４の連結部１４１に接続されている。
【００９２】
第２保持部３３２０は、モータ１５と回路基板１６とを接続するリード線１９が配置される第１部分３３２１と、回路基板１６及びバッテリ１７を保持する第２部分３３２２とを備える。回路基板１６及びバッテリ１７は第２部分３３２２に固定されている。第２保持部３３２０は、第１保持部３３１０の背面部３３１１の凹部３３１１ｂから、第１保持部３３１０の筒状部３３１２の下側まで延びている。第２保持部３３２０の後ろ側は開口している。第１部分３３２１は、背面部３３１１の外側の面に設けられている。第２部分３３２２の上側の部分は、背面部３３１１の外側の面に設けられている。第２部分３３２２の下側の部分は、第１保持部３３１０の筒状部３３１２から、当該筒状部３３１２の下側に突出している。
【００９３】
カバー部３３２は、第１保持部３３１０の背面部３３１１の凹部３３１１ｂと、第２保持部３３２０の後ろ側の開口とを塞ぐように、背面部３３１１及び第２保持部３３２０に取り付けられている。これにより、凹部３３１１ｂ内のモータ１５と、第２保持部３３２０内のリード線１９、回路基板１６及びバッテリ１７とが、カバー部３３２で覆われる。カバー部３３２は、モータ１５を覆う第１部分３３２ａと、リード線１９を覆う第２部分３３２ｂと、回路基板１６及びバッテリ１７を覆う第３部分３３２ｃとを備える。
【００９４】
回路基板１６の表示部１６２が備える発光部１６２ａａ，１６２ａｂ，１６２ａｃ，１６２ａｄ，１６２ａｅ，１６２ａｆは、図１４に示されるように、カバー部３３２の第３部分３３２ｃのうち、回路基板１６と対向する部分３３２ｃｃの後ろ側の面から露出している。また、回路基板１６の操作部１６３が備える操作ボタン１６３ａは、カバー部３３２の第３部分３３２ｃのうち、回路基板１６と対向する部分３３２ｃｃの後ろ側の面から露出している。
【００９５】
以上のような構成を備えるファン１０Ｃが、衣服２の取り付け穴４に取り付けられる場合には、まず、ハウジング３３の第１保持部３３１０の筒状部３３１２の前側の端部３３１２ｂが、衣服２の内側５１０から取り付け穴４に挿入される。このとき、第１保持部３３１０のフランジ部３３１３は、取り付け穴４を通らずに、衣服２の取り付け穴４の周縁部５の内側５１０の面と当たる。また、第２保持部３３２０の第２部分３３２２は取り付け穴４を通らずに、衣服２の内側５１０に位置する。
【００９６】
次に、固定部３３０のフランジ部３３０ｃが衣服２の周縁部５の外側５００の面と当たるように、固定部３３０が衣服２の外側５００から保持部３３１に取り付けられる。具体的には、フランジ部３３０ｃが周縁部５の外側５００の面と当たりつつ、保持部３３１の筒状部３３１２の雌ネジ部３３１２ａに固定部３３０の筒状部３３０ｂの雄ネジ部３３０ｂｂが螺合するように、固定部３３０が保持部３３１の第１保持部３３１０に取り付けられる。そして、衣服２の外側５００から見て時計周りに固定部３３０が締め込まれることによって、固定部３３０のフランジ部３３０ｃと、第１保持部３３１０のフランジ部３３１３とが、衣服２の周縁部５を狭持する。さらに、第２保持部３３２０のうち、第１保持部３３１０の筒状部３３１２よりも下側に位置する部分と、固定部３３０のフランジ部３３０ｃとが、衣服２の周縁部５の下側の部分を狭持する。これにより、ファン１０Ｃが衣服２に固定される。衣服２に固定されたファン１０Ｃの羽根部１４が回転すると、衣服２の外側５００の空気が吸気口３３０ａａ及び排気口３３１４を通じて、衣服２の内側５１０に取り入れられる。
【００９７】
一方で、ファン１０Ｃが衣服２から取り外される場合には、衣服２の外側５００から見て反時計周りに固定部３３０が回転させられて、固定部３３０が保持部３３１から取り外される。そして、保持部３３１の筒状部３３１２の前側の端部３３１２ｂが取り付け穴４から取り出される。
【００９８】
本例では、ファン１０Ｃが衣服２に取り付けられた場合、操作部１６３は、衣服２の内側５１０に位置する。したがって、ユーザは、衣服２の内側５１０から操作部１６３を操作可能である。また本例では、表示部１６２は衣服２の内側５１０に位置する。したがって、ユーザは、衣服２の内側５１０から、表示部１６２の表示を視認することが可能である。
【００９９】
このように、本例では、第１の構造例と同様に、バッテリ１７がハウジング３３内に位置することから、バッテリ１７から延びる配線を短くすることができる。よって、当該配線が破損する可能性を低減することができる。その結果、ファン１０Ｃの動作不良が発生する可能性を低減することができる。
【０１００】
また、本例では、バッテリとファン本体とを接続するためのケーブルが不要となることから、ファン１０Ｃを衣服２に取り付けやすくなる。
【０１０１】
また、本例では、ファン１０ごとに操作部１６３が設けられていることから、ユーザは、各ファン１０の制御を個別に行うことができる。
【０１０２】
また、本例では、固定部３３０は、衣服２の外側５００から保持部３３１に取り付けられる。一方で、上述の第１及び第２の構造例のように、固定部材１１が衣服２の内側５１０からハウジングに取り付けられる場合には、ユーザは、衣服２を着用した状態では、自身の体が邪魔になり、固定部材１１を衣服２の内側５１０からハウジングに取り付けにくくなる可能性がある。本例では、ユーザは、固定部３３０を、衣服２の外側５００から保持部３３１に取り付けることができることから、衣服２を着用した状態であっても、ファン１０Ｃを衣服２に取り付けやすくなる。
【０１０３】
また、本例では、操作部１６３は衣服２の内側５１０に位置することから、操作部１６３が破損する可能性を低減することができる。
【０１０４】
また、本例では、表示部１６２は衣服２の内側５１０に位置することから、表示部１６２が破損する可能性を低減することができる。
【０１０５】
また、本例では、バッテリ１７は衣服２の内側５１０に位置することから、バッテリ１７が破損する可能性を低減することができる。
【０１０６】
また、本例では、ファン１０Ｃを吸気側から見た場合、ハウジング３３の第２保持部３３２０で覆われたバッテリ１７が、吸気部３３０ａの外側に位置する。これにより、バッテリ１７がファン１０Ｃの吸気の障害となる可能性を低減することができる。よって、ファン１０Ｃの性能が向上する。
【０１０７】
また、本例では、固定部３３０は、保持部３３１に取り付けられた場合、羽根部１４の前側の面を覆っている。したがって、固定部３３０を保持部３３１から外すことによって、羽根部１４の前側の面が、ハウジング３３を構成する部材によって覆われなくなる。よって、羽根部１４の清掃が容易となる。例えば、粉塵が発生する作業環境でファン付き衣服１が使用される場合、羽根部１４に粉塵が付く可能性がある。固定部３３０を保持部３３１から外すことによって、羽根部１４に付いた粉塵を簡単に取り除くことができる。
【０１０８】
＜第４の構造例＞
図１７〜２２は本例に係るファン１０（ファン１０Ｄと呼ぶことがある）の構造の一例を示す図である。図１７にはファン１０Ｄを前側から見た様子が示されており、図１８及び１９にはファン１０Ｄを後ろ側から見た様子が示されている。図２０〜２２はファン１０Ｄの内部の構造を示す図である。図２０には、衣服２に取り付けられた状態のファン１０Ｄが示されている。ファン１０Ｄは、衣服２に取り付けることも可能であるし、図２１に示されるように、机等の上に立てて使用されることも可能であるし、図２２に示されるように、棒状あるいはフック状の部材９１に吊り下げた状態で使用されることも可能である。
【０１０９】
図１７〜２２に示されるように、ファン１０Ｄは、本体部４２と、当該本体部４２を衣服２に固定するための固定部材２１とを備えている。本体部４２は、ハウジング４３と、上述の羽根部１４、モータ１５、回路基板１６及びバッテリ１７と、リング状の支持部材２８とを備える。羽根部１４、モータ１５、回路基板１６及びバッテリ１７は、ハウジング４３に収容されている。
【０１１０】
ハウジング４３は例えば樹脂で構成されている。ハウジング４３は、前側部分４３０と、後ろ側部分４３１と、モータ１５、回路基板１６及びバッテリ１７を保持する第１保持部４３２と、カバー部４３３と、支持部材２８を保持する第２保持部４３４とを備える。図１９では、後ろ側部分４３１が取り外された状態のファン１０Ｄが示されている。
【０１１１】
前側部分４３０は、前面部４３０ａと、筒状部４３０ｂと、フランジ部４３０ｃとを備える。前面部４３０ａの外形は、前側から見た場合、略円形を成している。前面部４３０ａには複数の吸気口４３０ａａが設けられている。前面部４３０ａは、ハウジング４３の外側の空気をハウジング４３内に取り込む吸気部であると言える。以後、前面部４３０ａを吸気部４３０ａと呼ぶことがある。
【０１１２】
筒状部４３０ｂは、前面部４３０ａの周縁を取り囲みつつ、当該周縁から後ろ側に突出するように、当該周縁に設けられている。筒状部４３０ｂは、筒状の前側部分４３０ｂａと、筒状の後ろ側部分４３０ｂｂとを備える。後ろ側部分４３０ｂｂでは、下側の部分に隙間が存在し、後ろ側部分４３０ｂｂは完全な筒状とはなっていない。前側部分４３０ｂａの外周面には、固定部材２１が有する後述の雌ネジ部２１０ａと螺合する雄ネジ部４３０ｂａａが形成されている。フランジ部４３０ｃは、筒状部４３０ｂを取り囲むように、筒状部４３０ｂの後ろ側部分４３０ｂｂの前側端部の周縁に設けられている。フランジ部４３０ｃは、筒状部４３０ｂの後ろ側部分４３０ｂｂの周縁から筒状部４３０ｂの径方向に突出している。
【０１１３】
後ろ側部分４３１の外形は、後ろ側から見た場合、略円形となっている。後ろ側部分４３１は、背面部４３１ａ及び筒状部４３１ｂを備える。筒状部４３１ｂは、背面部４３１ａの周縁を取り囲みつつ、当該周縁から前側に突出するように当該周縁に設けられている。背面部４３１ａ及び筒状部４３１ｂには複数の排気口４３１ｃが設けられている。複数の排気口４３１ｃは、背面部４３１ａの中央部を避けて設けられている。前側部分４３０の筒状部４３０ｂと、後ろ側部分４３１の筒状部４３１ｂとは、互いに接続されている。筒状部４３０ｂと、筒状部４３１ｂと、第１保持部４３２が有する後述の第３部分４３２ｃとは、ハウジング４３全体の筒状の周壁部（言い換えれば側面部）４３５を構成している。本例では、周壁部４３５で取り囲まれた収容空間４３６に、羽根部１４、モータ１５及び回路基板１６が存在する。羽根部１４が回転すると、吸気口４３０ａａから空気がハウジング４３内に取り入れられて、ハウジング４３内に取り入れられた空気は、排気口４３１ｃからハウジング４３の外側に排気される。
【０１１４】
第１保持部４３２は、モータ１５及び回路基板１６を保持する第１部分４３２ａと、バッテリ１７を保持する第２部分４３２ｂと、周壁部４３５の下側の部分の一部を構成する第３部分４３２ｃとを備える。第１保持部４３２の前側は開口している。第３部分４３２ｃは、前側部分４３０が有する筒状部４３０ｂの後ろ側部分４３０ｂｂの下側の隙間に位置し、当該隙間を埋めるように後ろ側部分４３０ｂｂに接続されている。
【０１１５】
第１部分４３２ａは収容空間４３６内に位置する。第１部分４３２ａは、周壁部４３５で取り囲まれた収容空間４３６を前側あるいは後ろ側から見た場合の中央部から下側に向かって、周壁部４３５の一部である第３部分４３２ｃまで延びている。第１部分４３２ａは、後ろ側に突出する、モータ１５を保持するモータ保持部４３２ａａを備える。羽根部１４の連結部１４１は、モータ保持部４３２ａａを覆っている。モータ１５の回転軸１５０はモータ保持部４３２ａａの外側まで延びて羽根部１４の連結部１４１に接続されている。第２部分４３２ｂは、第３部分４３２ｃに接続されており、周壁部４３５よりも下側に位置する。第２部分４３２ｂは、バッテリ１７の形状に応じて後ろ側に湾曲している。
【０１１６】
カバー部４３３は、前側部分４３０と一体成形されている。カバー部４３３は、第１保持部４３２の第１部分４３２ａの前側の開口を塞ぐ第１部分４３３ａと、第１保持部４３２の第２部分４３２ｂの前側の開口を塞ぐ第２部分４３３ｂとを備える。第１部分４３３ａは第１部分４３２ａに保持されたモータ１５及び回路基板１６を覆い、第２部分４３３ｂは第２部分４３２ｂに保持されたバッテリ１７を覆う。第１部分４３３ａは、前面部４３０ａの中央部から下側に延びて、前側部分４３０の筒状部４３０ｂまで存在する。第２部分４３３ｂは、筒状部４３０ｂに接続されており、筒状部４３０ｂの下側に存在する。第２部分４３３ｂの上側の端部は、フランジ部４３０ｃの一部を構成している。
【０１１７】
回路基板１６の表示部１６２が備える発光部１６２ａａ，１６２ａｂ，１６２ａｃ，１６２ａｄ，１６２ａｅ，１６２ａｆは、図１７に示されるように、カバー部４３３の第１部分４３３ａの前側の面から露出している。また、回路基板１６の操作部１６３が備える操作ボタン１６３ａは、第１部分４３３ａの前側の面から露出している。
【０１１８】
本体部４２を衣服２に固定するための固定部材２１は、上述の固定部材１１と同様の構造を有しており、リング状の部材である。固定部材２１は、ハウジング４３に着脱可能である。固定部材２１は、本体部４２のハウジング４３に取り付けられるリング状の取付部２１０を備える。取付部２１０の内周面には、ハウジング４３の前側部分４３０の雄ネジ部４３０ｂａａに螺合する雌ネジ部２１０ａが設けられている。さらに、固定部材２１は、取付部２１０の外側面を取り囲むように、当該外周面から固定部材２１の径方向に突出するフランジ部２１１を備える。フランジ部２１１は、取付部２１０の外側面の後ろ側の端部に設けられている。
【０１１９】
支持部材２８は、カバー部４３３の前側の面に設けられた第２保持部４３４によって保持される。第２保持部４３４は、カバー部４３３と一体成形されている。第２保持部４３４は、前面部４３０ａの中央部よりも下側に位置する。支持部材２８は、図２１に示されるように、ファン１０Ｄが立てて使用される場合には、ファン１０Ｄが倒れないように支持する。支持部材２８は、ハウジング４３を支持することが可能な、ファン１０Ｄを立てて置くための支持部材であると言える。一方で、図２２に示されるように、ファン１０Ｄが吊り下げられて使用される場合には、ファン１０Ｄを棒状部材あるいはフック状部材等に吊り下げるための吊り下げ部材として機能する。
【０１２０】
支持部材２８は、互いに対向する２つの直線状部分２８ａ及び２８ｂと、互いに対向する２つの湾曲部分２８ｃ及び２８ｄとを備えている。湾曲部分２８ｃは、直線状部分２８ａの長手方向の一端から、直線状部分２８ｂの長手方向の一方端まで、外側に湾曲して延びている。湾曲部分２８ｃは、直線状部分２８ａの長手方向の他方端から、直線状部分２８ｂの長手方向の他方端まで、外側に湾曲して延びている。第２保持部４３４は、支持部材２８の直線状部分２８ａを保持する。支持部材２８は、第２保持部４３４に保持された直線状部分２８ａを起点として、直線状部分２８ａの長手方向の周りに回動可能である。
【０１２１】
ファン１０Ｄが衣服２に取り付けられる場合には、支持部材２８は、図１７及び２０に示されるように、支持部材２８がハウジング４３の前面部４３０ａの前側の面と対向するような位置に設定される。
【０１２２】
また、ファン１０Ｄが机等の上に立てて置かれる場合には、図２１に示されるように、支持部材２８は、直線状部分２８ｂ及び湾曲部分２８ｃ及び２８ｄがハウジング１３の前側の面から大きく離れるような位置に設定される。そして、ファン１０Ｄが載置される載置面９０に対して直線状部分２８ｂ当接することによって、ハウジング４３は倒れないように支持部材２８で支持される。ファン１０Ｄは、バッテリ１７側を載置面９０側にして載置面９０に置かれる。図２１に示される矢印９Ｂは、羽根部１４が回転した場合に風が流れる方向を示す。
【０１２３】
また、ファン１０Ｄが吊り下げられる場合には、図２２に示されるように、支持部材２８が、棒状あるいはフック状の部材９１に引っかけられる。図２２に示される矢印９Ｃは、羽根部１４が回転した場合に風が流れる方向を示す。
【０１２４】
以上のような構成を備えるファン１０Ｄが、衣服２の取り付け穴４に取り付けられる場合には、まず、ハウジング４３の前側部分４３０が備える筒状部４３０ｂの前側部分４３０ｂａが、衣服２の内側５１０から取り付け穴４に挿入される。このとき、前側部分４３０のフランジ部４３０ｃは、取り付け穴４を通らずに、衣服２の取り付け穴４の周縁部５の内側５１０の面と当たる。また、カバー部４３３が有する、バッテリ１７を覆う第２部分４３３ｂは、取り付け穴４を通らずに、衣服２の内側５１０に位置する。したがって、バッテリ１７は、衣服２の内側５１０に位置する。
【０１２５】
次に、固定部材２１のフランジ部２１１が衣服２の周縁部５の外側５００の面と当たるように、固定部材２１が衣服２の外側５００からハウジング４３に取り付けられる。具体的には、フランジ部２１１が周縁部５の外側５００の面と当たりつつ、筒状部４３０ｂの前側部分４３０ｂａの雄ネジ部４３０ｂａａに固定部材２１の雌ネジ部２１０ａが螺合するように、固定部材２１が前側部分４３０に取り付けられる。そして、衣服２の外側５００から見て時計周りに固定部材２１が締め込まれることによって、固定部材２１のフランジ部２１１と、前側部分４３０のフランジ部４３０ｃとが、衣服２の周縁部５を狭持する。これにより、ファン１０Ｄが衣服２に固定される。衣服２に固定されたファン１０Ｄの羽根部１４が回転すると、衣服２の外側５００の空気が吸気口４３０ａａ及び排気口４３１ｃを通じて、衣服２の内側５１０に取り入れられる。
【０１２６】
一方で、ファン１０Ｄが衣服２から取り外される場合には、衣服２の外側５００から見て反時計周りに固定部材２１が回転させられて、固定部材２１が前側部分４３０から取り外される。そして、前側部分４３０の筒状部４３０ｂの前側部分４３０ｂａが取り付け穴４から取り出される。
【０１２７】
このように、本例では、第１の構造例と同様に、バッテリ１７がハウジング４３内に位置することから、バッテリ１７から延びる配線を短くすることができる。よって、当該配線が破損する可能性を低減することができる。その結果、ファン１０Ｄの動作不良が発生する可能性を低減することができる。
【０１２８】
また、本例では、バッテリとファン本体とを接続するためのケーブルが不要となることから、ファン１０Ｄを衣服２に取り付けやすくなる。
【０１２９】
また、本例では、操作部１６３は、衣服２の外側５００から操作可能であることから、ユーザは操作部１６３を操作しやすくなる。
【０１３０】
また、本例では、表示部１６２の表示は、衣服２の外側５００から視認可能であることから、ユーザは表示部１６２の表示を確認し易くなる。
【０１３１】
また、本例では、ファン１０ごとに操作部１６３が設けられていることから、ユーザは、各ファン１０の制御を個別に行うことができる。
【０１３２】
また、本例では、ハウジング４３は、衣服２の内側５１０から衣服２に取り付けられる。そして、固定部材２１は、衣服２の外側５００からハウジング４３に取り付けられる。したがって、ユーザは、固定部材２１を衣服２の外側からハウジング４３に取り付けることができる。よって、ユーザは、衣服２を着用した状態であっても、ファン１０Ｄを衣服２に取り付けやすくなる。
【０１３３】
また、本例では、バッテリ１７は衣服２の内側５１０に位置することから、バッテリ１７が破損する可能性を低減することができる。
【０１３４】
また、本例では、ファン１０Ｄを吸気側から見た場合、図１７に示されるように、操作部１６３が、吸気部４３０ａを取り囲むフランジ部２１１の外形の内側に位置する。これにより、吸気側から見た場合のファン１０Ｄの大きさを小さくすることができる。
【０１３５】
また、本例では、ファン１０Ｄを吸気側から見た場合、操作部１６３は羽根部１４と重なっている。これにより、吸気側から見た場合のファン１０Ｄの大きさを小さくすることができる。
【０１３６】
また、本例では、ファン１０Ｄを吸気側から見た場合、図１７に示されるように、表示部１６２が、フランジ部２１１の外形の内側に位置する。これにより、吸気側から見た場合のファン１０Ｄの大きさを小さくすることができる。
【０１３７】
また、本例では、ファン１０Ｄを吸気側から見た場合、表示部１６２は羽根部１４と重なっている。これにより、吸気側から見た場合のファン１０Ｄの大きさを小さくすることができる。
【０１３８】
また、本例では、ファン１０Ｄを吸気側から見た場合、カバー部４３３で覆われたバッテリ１７が、吸気部４３０ａの外側に位置する。これにより、バッテリ１７がファン１０Ｄの吸気の障害となる可能性を低減することができる。よって、ファン１０Ｄの性能が向上する。
【０１３９】
＜第５の構造例＞
図２３〜２７は本例に係るファン１０（ファン１０Ｅと呼ぶことがある）の構造の一例を示す図である。図２３及び２４には、ファン１０Ｅを前側から見た様子が示されている。図２５及び２６には、ファン１０Ｄを後ろ側から見た様子が示されている。図２７はファン１０Ｄの内部の構造を示す図である。図２７には、衣服２に取り付けられた状態のファン１０Ｄが示されている。
【０１４０】
図２３〜２７に示されるように、ファン１０Ｄは、ハウジング５３と、上述の羽根部１４、モータ１５、回路基板１６及びバッテリ１７とを備える。羽根部１４、モータ１５、回路基板１６及びバッテリ１７は、ハウジング５３に収容されている。
【０１４１】
ハウジング５３は、羽根部１４、モータ１５、回路基板１６及びバッテリ１７を保持する保持部５３１と、保持部５３１を衣服２に固定するための固定部５３０とを備える。固定部５３０は、保持部５３１に対して着脱可能である。保持部５３１は、前側部分５３１０及び後ろ側部分５３２０を備える。後ろ側部分５３２０は、羽根部１４の後ろ側の面を覆うカバー部として機能する。後ろ側部分５３２０は、前側部分５３１０に対して着脱可能である。図２４及び２６には、固定部５３０及び後ろ側部分５３２０が取り外されたファン１０Ｄが示されている。以後、後ろ側部分５３２０をカバー部５３２０と呼ぶことがある。
【０１４２】
固定部５３０の外形は、前側から見た場合、略円形を成している。固定部５３０は、前面部５３０ａと、筒状部５３０ｂと、フランジ部５３０ｃとを備える。前面部５３０ａの中央部には開口部５３０ａｂが設けられている。前面部５３０ａにおける、開口部５３０ａｂ以外の部分には、複数の吸気口５３０ａａが設けられている。前面部５３０ａは、ハウジング５３の外側の空気をハウジング５３内に取り込む吸気部であると言える。以後、前面部５３０ａを吸気部５３０ａと呼ぶことがある。
【０１４３】
筒状部５３０ｂは、前面部５３０ａの周縁を取り囲みつつ、当該周縁から後ろ側に突出するように当該周縁に設けられている。筒状部５３０ｂの内周面には、保持部５３１が有する後述の雄ネジ部５３１３ａａと螺合する雌ネジ部５３０ｂｂが形成されている。フランジ部５３０ｃは、筒状部５３０ｂを取り囲むように、筒状部５３０ｂの後ろ側部分の外周面に設けられている。フランジ部５３０ｃは、筒状部５３０ｂの外周面から筒状部５３０ｂの径方向に突出している。
【０１４４】
保持部５３１のカバー部５３２０の外形は、後ろ側から見た場合、略円形を成している。カバー部５３２０は、羽根部１４の後ろ側の面を覆う背面部５３２１と、筒状部５３２２とを備える。筒状部５３２２は、背面部５３２１の周縁を取り囲みつつ、当該周縁から前側に突出するように、当該周縁に設けられている。背面部５３２１及び筒状部５３２２には、複数の排気口５３２３が形成されている。複数の排気口５３２３は、背面部５３２１の中央部を避けて形成されている。筒状部５３２２の外周面には、前側部分５３１０が有する後述の雌ネジ部５３１３ｂｂと螺合する雄ネジ部５３２２ａが形成されている。
【０１４５】
保持部５３１の前側部分５３１０は、モータ１５、回路基板１６及びバッテリ１７が固定される被固定部５３１１を備える。被固定部５３１１の前側は開口している。前側部分５３１０は、被固定部５３１１の前側の開口を覆うカバー部５３１２を備える。さらに、前側部分５３１０は、固定部５３０の筒状部５３０ｂと、カバー部５３２０の筒状部５３２２との間に位置する中間筒状部５３１３と、フランジ部５３１４とを備える。カバー部５３１２と、中間筒状部５３１３と、フランジ部５３１４とは、一体成形されている。
【０１４６】
中間筒状部５３１３は、固定部５３０の筒状部５３０ｂに接続される筒状の前側部分５３１３ａと、カバー部５３２０の筒状部５３２２と接続される筒状の後ろ側部分５３１３ｂとを備える。前側部分５３１３ａは、中間筒状部５３１３の前側の約三分の一を構成している。後ろ側部分５３１３ｂは、中間筒状部５３１３の後ろ側の約三分の二を構成している。後ろ側部分５３１３ｂでは、下側の部分に隙間が存在し、後ろ側部分５３１３ｂは完全な筒状とはなっていない。前側の筒状部５３０ｂと、後ろ側の筒状部５３２２と、それらの間の中間筒状部５３１３と、被固定部５３１１が有する後述の第３部分５３１１ｃとは、ハウジング５３全体の筒状の周壁部（言い換えれば側面部）５３５を構成している。周壁部５３５で取り囲まれた収容空間５３６には、羽根部１４、モータ１５及び回路基板１６が配置されている。中間筒状部５３１３の前側部分５３１３ａの外周面には、固定部５３０の雌ネジ部５３０ｂｂと螺合する雄ネジ部５３１３ａａが形成されている。後ろ側部分５３１３ｂの後ろ側の部分の内周面には、カバー部５３２０の雄ネジ部５３２２ａと螺合する雌ネジ部５３１３ｂｂが形成されている。
【０１４７】
フランジ部５３１４は、中間筒状部５３１３の後ろ側部分５３１３ｂの外周面を取り囲むように、後ろ側部分５３１３ｂの前側の部分の外周面に設けられている。フランジ部５３１４は、中間筒状部５３１３の外周面から中間筒状部５３１３の径方向に突出している。
【０１４８】
被固定部５３１１は、モータ１５及び回路基板１６が固定されている第１部分５３１１ａと、バッテリ１７が固定されている第２部分５３１１ｂと、周壁部５３５の下側の部分の一部を構成する第３部分５３１１ｃとを備える。第３部分５３１１ｃは、中間筒状部５３１３の後ろ側部分５３１３ｂの下側の隙間に位置し、当該隙間を埋めるように後ろ側部分５３１３ｂに接続されている。第３部分５３１１ｃの内側の面（言い換えれば、収容空間５３６側の面）には、カバー部５３２０の雄ネジ部５３２２ａに螺合する雌ネジ部５３１１ｃｃが形成されている。カバー部５３２０の雄ネジ部５３２２ａは、第３部分５３１１ｃの雌ネジ部５３１１ｃｃと、中間筒状部５３１３の後ろ側部分５３１３ｂの雌ネジ部５３１３ｂｂとに螺合する。
【０１４９】
第１部分５３１１ａは収容空間５３６内に位置する。第１部分５３１１ａは、周壁部５３５で取り囲まれた収容空間５３６を前側あるいは後ろ側から見た場合の中央部から下側に延びて、周壁部５３５の一部である第３部分５３１１ｃまで達している。第１部分５３１１ａは、後ろ側に突出する、モータ１５を保持するモータ保持部５３１１ａａを備える。羽根部１４の連結部１４１は、モータ保持部５３１１ａａを覆っている。モータ１５の回転軸１５０はモータ保持部５３１１ａａの外側まで延びて羽根部１４の連結部１４１に接続されている。第２部分５３１１ｂは、第３部分５３１１ｃに接続されており、周壁部５３５よりも下側に位置する。第２部分５３１１ｂは、バッテリ１７の形状に応じて後ろ側に湾曲している。
【０１５０】
カバー部５３１２は、被固定部５３１１の第１部分５３１１ａの前側の開口を塞ぐ第１部分５３１２ａと、被固定部５３１１の第２部分５３１１ｂの前側の開口を塞ぐ第２部分５３１２ｂとを備える。第１部分５３１２ａは、収容空間５３６を前側あるいは後ろ側から見た場合の中央部から下側に延びて、中間筒状部５３１３まで達している。第１部分５３１２ａは、固定部５３０の開口部５３０ａｂと対向する開口対向部５３１２ａａを有する。第２部分５３１２ｂは、中間筒状部５３１３に接続されており、中間筒状部５３１３の下側に存在する。第２部分５３１２ｂの上側の端部は、フランジ部５３１４の一部を構成している。
【０１５１】
回路基板１６の表示部１６２が備える発光部１６２ａａ，１６２ａｂ，１６２ａｃ，１６２ａｄ，１６２ａｅ，１６２ａｆは、図２３及び２４に示されるように、カバー部５３１２の第１部分５３１２ａが有する開口対向部５３１２ａａの前側の面から露出している。また、回路基板１６の操作部１６３が備える操作ボタン１６３ａは、開口対向部５３１２ａａの前側の面から露出している。
【０１５２】
以上のような構成を備えるファン１０Ｅが、衣服２の取り付け穴４に取り付けられる場合には、まず、前側部分５３１０の中間筒状部５３１３の後ろ側部分５３１３ｂの雌ネジ部５３１３ｂｂに、後ろ側部分５３２０（言い換えればカバー部５３２０）の筒状部５３２２の雄ネジ部５３２２ａが螺合するように、前側部分５３１０に後ろ側部分５３２０が取り付けられる。そして、後ろ側から見て時計周りに後ろ側部分５３２０が締め込まれることによって、前側部分５３１０に後ろ側部分５３２０が固定される。これにより、保持部５３１が準備される。
【０１５３】
次に、保持部５３１の中間筒状部５３１３の前側部分５３１３ａが、衣服２の内側５１０から取り付け穴４に挿入される。このとき、保持部５３１のフランジ部５３１４は、取り付け穴４を通らずに、衣服２の取り付け穴４の周縁部５の内側５１０の面と当たる。また、カバー部５３１２が有する、バッテリ１７を覆う第２部分５３１２ｂは、取り付け穴４を通らずに、衣服２の内側５１０に位置する。したがって、バッテリ１７は、衣服２の内側５１０に位置する。
【０１５４】
次に、固定部５３０のフランジ部５３０ｃが衣服２の周縁部５の外側５００の面と当たるように、固定部５３０が衣服２の外側５００から保持部５３１に取り付けられる。具体的には、フランジ部５３０ｃが周縁部５の外側５００の面と当たりつつ、保持部５３１の中間筒状部５３１３の前側部分５３１３ａの雄ネジ部５３１３ａａに固定部５３０の雌ネジ部５３０ｂｂが螺合するように、固定部５３０が保持部５３１の前側部分５３１０に取り付けられる。そして、衣服２の外側５００から見て時計周りに固定部５３０が締め込まれることによって、固定部５３０のフランジ部５３０ｃと、保持部５３１のフランジ部５３１４とが、衣服２の周縁部５を狭持する。これにより、ファン１０Ｅが衣服２に固定される。衣服２に固定されたファン１０Ｅの羽根部１４が回転すると、衣服２の外側５００の空気が吸気口５３０ａａ及び排気口５３２３を通じて、衣服２の内側５１０に取り入れられる。
【０１５５】
一方で、ファン１０Ｅが衣服２から取り外される場合には、衣服２の外側５００から見て反時計周りに固定部５３０が回転させられて、固定部５３０が保持部５３１から取り外される。そして、保持部５３１の中間筒状部５３１３の前側部分５３１３ａが取り付け穴４から取り出される。
【０１５６】
このように、本例では、第１の構造例と同様に、バッテリ１７がハウジング５３内に位置することから、バッテリ１７から延びる配線を短くすることができる。よって、当該配線が破損する可能性を低減することができる。その結果、ファン１０Ｅの動作不良が発生する可能性を低減することができる。
【０１５７】
また、本例では、バッテリとファン本体とを接続するためのケーブルが不要となることから、ファン１０Ｅを衣服２に取り付けやすくなる。
【０１５８】
また、本例では、操作部１６３は、ハウジング５３における吸気側から視認可能な領域から露出している。具体的には、操作部１６３は、前側から、固定部５３０の開口部５３０ａｂを通じて視認可能となっている。よって、操作部１６３は、衣服２の外側５００から操作可能である。これにより、ユーザは操作部１６３を操作しやすくなる。
【０１５９】
また、本例では、表示部１６２は、ハウジング５３における吸気側から視認可能な領域から露出している。具体的には、表示部１６２は、前側から、固定部５３０の開口部５３０ａｂを通じて視認可能となっている。よって、表示部１６２の表示は、衣服２の外側５００から視認可能である。これにより、ユーザは表示部１６２の表示を確認し易くなる。
【０１６０】
また、本例では、ファン１０Ｅを吸気側から見た場合、図２３に示されるように、操作部１６３が、ハウジング５３のフランジ部５３０ｃの外形の内側に位置する。これにより、吸気側から見た場合のファン１０Ｄの大きさを小さくすることができる。
【０１６１】
また、本例では、ファン１０Ｄを吸気側から見た場合、操作部１６３は羽根部１４と重なっている。これにより、吸気側から見た場合のファン１０Ｄの大きさを小さくすることができる。
【０１６２】
また、本例では、ファン１０Ｄを吸気側から見た場合、図２３に示されるように、表示部１６２が、ハウジング５３のフランジ部５３０ｃの外形の内側に位置する。これにより、吸気側から見た場合のファン１０Ｄの大きさを小さくすることができる。
【０１６３】
また、本例では、ファン１０Ｄを吸気側から見た場合、表示部１６２は羽根部１４と重なっている。これにより、吸気側から見た場合のファン１０Ｄの大きさを小さくすることができる。
【０１６４】
また、本例では、ファン１０ごとに操作部１６３が設けられていることから、ユーザは、各ファン１０の制御を個別に行うことができる。
【０１６５】
また、本例では、図２７に示されるように、操作部１６３が吸気部５３０ａよりも排気側（言い換えば後ろ側）に位置する。これにより、上述のファン１０Ｄと比べて、吸気部５３０ａが備える複数の吸気口５３０ａａの総面積を大きくすることができる。よって、ファン１０Ｄの性能が向上する。
【０１６６】
また、本例では、図２７に示されるように、表示部１６２が吸気部５３０ａよりも排気側に位置する。これにより、上述のファン１０Ｄと比べて、吸気部５３０ａが備える複数の吸気口５３０ａａの総面積を大きくすることができる。よって、ファン１０Ｄの性能が向上する。
【０１６７】
また、本例では、羽根部１４等を保持した保持部５３１は、衣服２の内側５１０から衣服２に取り付けられる。そして、固定部５３０は、衣服２の外側５００から保持部５３１に取り付けられる。したがって、ユーザは、固定部５３０を衣服２の外側から保持部５３１に取り付けることができる。よって、ユーザは、衣服２を着用した状態であっても、ファン１０Ｅを衣服２に取り付けやすくなる。
【０１６８】
また、本例では、バッテリ１７は衣服２の内側５１０に位置することから、バッテリ１７が破損する可能性を低減することができる。
【０１６９】
また、本例では、固定部５３０は、保持部５３１に取り付けられた場合、羽根部１４の前側の面を覆っている。したがって、固定部５３０を保持部５３１から外すことによって、羽根部１４の前側の面が、ハウジング５３を構成する部材によって覆われなくなる。よって、羽根部１４の清掃が容易となる。
【０１７０】
また、本例では、羽根部１４の後ろ側の面を覆うカバー部５３２０は着脱可能となっている。したがって、カバー部５３２０を取り外すことによって、羽根部１４の後ろ側の面が、ハウジング５３を構成する部材によって覆われなくなる。よって、羽根部１４の清掃が容易となる。
【０１７１】
また、本例では、ファン１０Ｅを吸気側から見た場合、カバー部５３１２で覆われたバッテリ１７が、吸気部５３０ａの外側に位置する。これにより、バッテリ１７がファン１０Ｅの吸気の障害となる可能性を低減することができる。よって、ファン１０Ｅの性能が向上する。
【０１７２】
＜第６の構造例＞
図２８は本例に係るファン１０（ファン１０Ｆと呼ぶことがある）の内部の構造の一例を示す図である。図２８には、衣服２に取り付けられた状態のファン１０Ｆが示されている。図２８に示されるように、ファン１０Ｆは、本体部６２と、上述の固定部材１１と、バッテリ装置６５と、バッテリ装置６５を本体部６２に取り付けるための取付部６６と、止め輪６７と、バッテリ装置６５と本体部６２とを電気的に接続するためのケーブル６８とを備える。本体部６２には、取付部６６及び止め輪６７が利用されてバッテリ装置６５が固定される。本体部６２は、ハウジング６３と、上述の羽根部１４及びモータ１５と、ケーブル６８が接続されるコネクタ６４とを備える。モータ１５から延びるリード線１９はコネクタ６４に接続されている。図２９は本体部６２を斜め後ろ側から見た場合の本体部６２の構造の一例を示す斜視図である。図３０はハウジング６３を後ろ側から見た場合のハウジング６３の構造の一例を示す平面図である。図３１はバッテリ装置６５及び取付部６６を前側から見た場合のバッテリ装置６５及び取付部６６の構造の一例を示す平面図である。なお、図２８では、図２９及び図３０と比較して、本体部６２の形状を簡略化して示している。
【０１７３】
前側部分６３０は、前面部６３０ａと、筒状部６３０ｂと、フランジ部６３０ｃとを備える。前面部６３０ａには、その中央部を避けて、複数の吸気口６３０ａａが設けられている。前面部６３０ａは吸気部であるとも言える。筒状部６３０ｂは、前面部６３０ａの周縁を取り囲みつつ、当該周縁から後ろ側に突出するように当該周縁に設けられている。筒状部６３０ｂの外周面には、固定部材１１の雌ネジ部１１０ａと螺合する雄ネジ部６３０ｂｂが形成されている。フランジ部６３０ｃは、前面部６３０ａを取り囲むように前面部６３０ａの周縁に設けられている。フランジ部６３０ｃは、前面部６３０ａの周縁から前面部６３０ａの径方向に突出している。前面部６３０ａを前側から見た様子は、上述のファン１０Ｃの前側部分３３０を前側から見た様子と似ている（図１３参照）。
【０１７４】
後ろ側部分６３１は、背面部６３１ａ及び筒状部６３１ｂを備える。筒状部６３１ｂは、背面部６３１ａの周縁を取り囲みつつ、当該周縁から前側へ突出するように当該周縁に設けられている。背面部６３１ａ及び筒状部６３１ｂには複数の排気口６３１ｃが設けられている。背面部６３１ａの外側の面の中央部には、第１凹部６３１ａａが設けられている。第１凹部６３１ａａにはモータ１５が固定される。背面部６３１ａの内側の面には、第１凹部６３１ａａに応じた凸部６３１ａｂが設けられている。羽根部１４の筒状の連結部１４１は凸部６３１ａｂを覆っている。第１凹部６３１ａａ内のモータ１５の回転軸１５０は凸部６３１ａｂの外側まで延びて羽根部１４の連結部１４１に接続されている。
【０１７５】
背面部６３１ａの外側の面にはコネクタ６４が固定される。コネクタ６４の大部分はモータ１５よりも下側に位置する。背面部６３１ａの外側の面における、コネクタ６４の下側の部分には第２凹部６３１ａｃが設けられている。第２凹部６３１ａｃは、下側に延びて、背面部６３１ａの周縁まで達している。
【０１７６】
ケーブル６８は、その一方の端部にコネクタ６８ａを備える。コネクタ６８ａは、本体部６２のコネクタ６４に対して着脱可能である。コネクタ６４におけるコネクタ６８ａの接続口は下側を向いている。したがって、ケーブル６８のコネクタ６８ａは、本体部６２のコネクタ６４に対して下側から接続される。コネクタ６４の下側に第２凹部６３１ａｃが存在することから、コネクタ６４に対して下側からコネクタ６８ａを接続しやすくなる。
【０１７７】
前側部分６３０の筒状部６３０ｂと、後ろ側部分６３１の筒状部６３１ｂとは、互いに接続されており、ハウジング６３全体の筒状の周壁部（言い換えれば側面部）６３５を構成している。羽根部１４が回転すると、吸気口６３０ａａから空気がハウジング６３内に取り入れられて、ハウジング６３内に取り入れられた空気は、排気口６３１ｃからハウジング６３の外側に排気される。
【０１７８】
カバー部６３２は、第１凹部６３１ａａ及びコネクタ６４を覆うように、後ろ側部分６３１の背面部６３１ａに取り付けられている。これにより、第１凹部６３１ａａ内のモータ１５がカバー部６３２で覆われる。
【０１７９】
バッテリ装置６５は、ハウジング６５０と、ハウジング６５０に収容された上述の回路基板１６及びバッテリ１７とを備える。ハウジング６５０は略直方体を成している。ハウジング６５０は、互いに対向する一対の主面６５０ａ及び６５０ｂと、主面６５０ａ及び６５０ｂを取り囲むようにして主面６５０ａ及び６５０ｂの周縁に接続された側面６５０ｃとを備える。図３１に示されるように、ハウジング６５０内の回路基板１６の表示部１６２が備える発光部１６２ａａ，１６２ａｂ，１６２ａｃ，１６２ａｄ，１６２ａｅ，１６２ａｆは、主面６５０ａから露出している。また、ハウジング６５０内の回路基板１６の操作部１６３が備える操作ボタン１６３ａは、主面６５０ａから露出している。バッテリ装置６５は、表示部１６２及び操作部１６３を備える。
【０１８０】
ケーブル６８における、コネクタ６８ａ側とは反対側の端部は、ハウジング６５０内で固定されている。ケーブル６８における、コネクタ６８ａ側とは反対側の端部は、ハウジング６５０内の回路基板１６の制御部１６１に接続されている。ケーブル６８は、ハウジング６５０の上側の面６５０ｃａからハウジング６５０の外側に取り出されて、本体部６２のコネクタ６４に接続されている。制御部１６１が出力する、モータ１５を制御するための制御信号は、ケーブル６８、本体部６２のコネクタ６４及びリード線１９を通じてモータ１５に供給される。
【０１８１】
取付部６６は、リング状を成しており、開口６６ａを有する。取付部６６は、ハウジング６５０の側面６５０ｃのうちの上側の面６５０ｃａに接続されている。具体的には、取付部６６は、上側の面６５０ｃａの主面６５０ｂ側の端部に接続されている。取付部６６は、その形状が成す円形が、主面６５０ａ及び６５０ｂと平行を成すように、ハウジング６５０に取り付けられている。
【０１８２】
以上のような構成を備えるファン１０Ｆが、衣服２の取り付け穴４に取り付けられる場合には、まず、本体部６２のハウジング６３が、衣服２の外側５００から取り付け穴４に挿入される。このとき、ハウジング６３は、後ろ側部分６３１側から取り付け穴４に挿入される。ハウジング６３が後ろ側部分６３１側から取り付け穴４に挿入される場合には、前側部分６３０のフランジ部６３０ｃは、取り付け穴４を通らずに、衣服２の取り付け穴４の周縁部５の外側５００の面と当たる。
【０１８３】
次に、固定部材１１のフランジ部１１１が衣服２の周縁部５の内側５１０の面と当たるように、固定部材１１が、衣服２の内側５１０から、ハウジング６３に取り付けられる。具体的には、フランジ部１１１が周縁部５の内側５１０の面と当たりつつ、衣服２の内側５１０に突出している筒状部６３０ｂの外周面の雄ネジ部６３０ｂｂに固定部材１１の取付部１１０の内周面の雌ネジ部１１０ａが螺合するように、固定部材１１が前側部分６３０に取り付けられる。そして、衣服２の内側５１０から見て時計周りに固定部材１１が締め込まれることによって、前側部分６３０のフランジ部６３０ｃと、固定部材１１のフランジ部１１１とが、衣服２の周縁部５を狭持する。これにより、本体部６２が衣服２に固定される。
【０１８４】
次に、バッテリ装置６５のハウジング６５０が下側にされ、かつハウジング６５０の主面６５０ａが後ろ側に向けられた状態で、取付部６６の開口６６ａが、衣服２の内側５１０から本体部６２に近づけられる。そして、開口６６ａが本体部６２に近づけられて、開口６６ａに、本体部６２の固定部材１１の取付部１１０が通される。このとき、固定部材１１のフランジ部１１１は開口６６ａを通らずに、取付部６６の周端部に当たる。開口６６ａに固定部材１１の取付部１１０が通されると、バッテリ装置６５は本体部６２から吊り下げられた状態となる。取付部６６は、バッテリ装置６５を本体部６２から吊り下げるための吊り下げ部とも言える。
【０１８５】
次に、止め輪６７が衣服２の内側５１０から本体部６２に近づけられて、止め輪６７に固定部材１１の取付部１１０が通される。本例では、固定部材１１の取付部１１０の外周面に、止め輪６７が嵌合する溝が形成されている。止め輪６７に固定部材１１の取付部１１０が通されると、取付部１１０の外周面の溝に止め輪６７が嵌められる。これにより、取付部６６が、前側のフランジ部１１１と後ろ側の止め輪６７とで挟まれて、取付部６６１が本体部６２に固定される。つまり、バッテリ装置６５が本体部６２に固定される。最後に、ケーブル６８のコネクタ６８ａが、本体部６２のコネクタ６４に接続されると、衣服２へのファン１０Ｆの取り付けが完了する。衣服２に取り付けられたファン１０Ｆの羽根部１４が回転すると、衣服２の外側５００の空気が吸気口６３０ａａ及び排気口６３１ｃを通じて、衣服２の内側５１０に取り入れられる。
【０１８６】
一方で、ファン１０Ｆが衣服２から取り外される場合には、まず、ケーブル６８のコネクタ６８ａが本体部６２のコネクタ６４から取り外される。次に、止め輪６７が固定部材１１から取り外される。次に、取付部６６が固定部材１１から取り外される。次に、衣服２の内側５１０から見て反時計周りに固定部材１１が回転させられて、固定部材１１がハウジング６３から取り外される。そして、ハウジング６３が取り付け穴４から取り出される。
【０１８７】
このように、本例では、バッテリ装置６５が、本体部６２の周囲に位置するように本体部６２に固定されていることから、バッテリ装置６５と本体部６２を接続するケーブル６８を短くすることができる。よって、ケーブル６８が破損する可能性を低減することができる。その結果、ファン１０Ｆの動作不良が発生する可能性を低減することができる。
【０１８８】
また、ケーブル６８を短くすることができることから、ファン１０Ｆを衣服２に取り付けやすくなる。
【０１８９】
また、本例では、ファン１０ごとに操作部１６３が設けられていることから、ユーザは、各ファン１０の制御を個別に行うことができる。
【０１９０】
また、本例では、バッテリ１７は衣服２の内側５１０に位置することから、バッテリ１７が破損する可能性を低減することができる。
【０１９１】
＜第７の構造例＞
図３２は本例に係るファン１０（ファン１０Ｇと呼ぶことがある）の内部の構造の一例を示す図である。図３２には、衣服２に取り付けられた状態のファン１０Ｇが示されている。図３２に示されるように、ファン１０Ｇは、上述の本体部６２、固定部材１１、バッテリ装置６５、取付部６６及びケーブル６８を備える。ただし、ファン１０Ｇの取付部６６の開口６６ａは、ファン１０Ｆの取付部６６の開口６６ａよりも少し小さくなっている。また、ファン１０Ｇの取付部６６は、ハウジング６５０の上側の面６５０ｃａから上側にまっすぐに少し延びた後、主面６５０ｂ側に傾斜し、その後、上側にまっすぐ延びている。ファン１０Ｇは、上述の止め輪６７を備えていない。
【０１９２】
ファン１０Ｇが、衣服２の取り付け穴４に取り付けられる場合には、まず、本体部６２のハウジング６３が、衣服２の外側５００から取り付け穴４に挿入される。このとき、ハウジング６３は、後ろ側部分６３１側から取り付け穴４に挿入される。ハウジング６３が後ろ側部分６３１側から取り付け穴４に挿入される場合には、前側部分６３０のフランジ部６３０ｃは、取り付け穴４を通らずに、衣服２の取り付け穴４の周縁部５の外側５００の面に当たる。
【０１９３】
次に、バッテリ装置６５のハウジング６５０の主面６５０ａが後ろ側に向けられた状態で、取付部６６の開口６６ａが、衣服２の内側５１０からハウジング６３に近づけられる。そして、開口６６ａにハウジング６３の前側部分６３０が通されて、取付部６６の周縁部が、衣服２の周縁部５の内側の面に当たる。
【０１９４】
次に、固定部材１１のフランジ部１１１が、取付部６６の周縁部と当たるように、固定部材１１が、衣服２の内側５１０から、ハウジング６３に取り付けられる。具体的には、フランジ部１１１が取付部６６の周縁部に当たりつつ、衣服２の内側５１０に突出している筒状部６３０ｂの外周面の雄ネジ部６３０ｂｂに固定部材１１の取付部１１０の内周面の雌ネジ部１１０ａが螺合するように、固定部材１１が前側部分６３０に取り付けられる。そして、衣服２の内側５１０から見て時計周りに固定部材１１が締め込まれることによって、前側部分６３０のフランジ部６３０ｃと、固定部材１１のフランジ部１１１とが、取付部６６の周縁部及び衣服２の周縁部５を狭持する。これにより、バッテリ装置６５が本体部６２に固定される。最後に、ケーブル６８のコネクタ６８ａが、本体部６２のコネクタ６４に接続されると、衣服２へのファン１０Ｇの取り付けが完了する。
【０１９５】
一方で、ファン１０Ｇが衣服２から取り外される場合には、まず、ケーブル６８のコネクタ６８ａが本体部６２のコネクタ６４から取り外される。次に、衣服２の内側５１０から見て反時計周りに固定部材１１が回転させられて、固定部材１１がハウジング６３から取り外される。次に、取付部６６が固定部材１１から取り外される。最後に、ハウジング６３が取り付け穴４から取り出される。
【０１９６】
このように、本例では、バッテリ装置６５が、本体部６２の周囲に位置するように本体部６２に固定されていることから、バッテリ装置６５と本体部６２を接続するケーブル６８を短くすることができる。よって、ケーブル６８が破損する可能性を低減することができる。その結果、ファン１０Ｇの動作不良が発生する可能性を低減することができる。
【０１９７】
また、ケーブル６８を短くすることができることから、ファン１０Ｇを衣服２に取り付けやすくなる。
【０１９８】
また、本例では、ファン１０ごとに操作部１６３が設けられていることから、ユーザは、各ファン１０の制御を個別に行うことができる。
【０１９９】
また、本例では、バッテリ１７は衣服２の内側５１０に位置することから、バッテリ１７が破損する可能性を低減することができる。
【０２００】
また、本例では、止め輪６７が不要であることから、ファン１０Ｇの構成が簡素化される。
【０２０１】
また、本例では、固定部材１１とハウジング６３とが、取付部６６の周縁部を狭持することによって、バッテリ装置６５がハウジング６３に固定されることから、止め輪６７を利用する場合と比較して、バッテリ装置６５をハウジング６３に簡単に固定することができる。
【０２０２】
＜第８の構造例＞
図３３は本例に係るファン１０（ファン１０Ｈと呼ぶことがある）の内部の構造の一例を示す図である。図３３には、衣服２に取り付けられた状態のファン１０Ｈが示されている。図３４はファン１０Ｈを後ろ側から見た様子を示す図である。
【０２０３】
図３３及び３４に示されるように、ファン１０Ｈは、上述の本体部６２及びケーブル６８を備える。ただし、本体部６２のハウジング６３が備える後ろ側部分６３１の背面部６３１ａの外側の面には第２凹部６３１ａｃが設けられていない。また、本体部６２はコネクタ６４を備えていない。また、ケーブル６８はコネクタ６８ａを備えていない。ケーブル６８の本体部６２側の端部は本体部６２に固定されている。具体的には、ケーブル６８の本体部６２側の端部は、ハウジング６３の後ろ側部分６３１が備える背面部６３１ａの外側の面に固定されている。そして、当該端部には、モータ１５から延びるリード線１９が接続されている。
【０２０４】
ファン１０Ｈは、本体部６２及びケーブル６８以外にも、上述の固定部材１１及びバッテリ装置６５と、バッテリ装置６５を本体部６２に取り付ける取付部７６とを備える。取付部７６は、ハウジング６５０と本体部６２とを接続するための一対の棒状の接続部７６０を備える。各接続部７６０の一方の端部７６０ａ及び他方の端部７６０ｂは、それぞれ、本体部６２及びバッテリ装置６５のハウジング６５０に接続されている。接続部７６０の端部７６０ａは、本体部６２のハウジング６３が備える後ろ側部分６３１の筒状部６３１ｂに対して、回動可能に接続されている。接続部７６０の端部７６０ｂはハウジング６５０の上側の面６５０ｃａに固定されている。取付部７６は、各接続部７６０の端部７６０ａを起点として、接続部７６０の長さ方向及びファン１０Ｈの前後方向に垂直な方向（図３４の紙面左右方向）の周りに回動可能である。取付部７６と、それが接続されたバッテリ装置６５とは、一体となって回動する。バッテリ装置６５は、回動することによって、図３３に示されるように、本体部６２の下側に位置する第１状態と、本体部６２の後ろ側に位置する第２状態とをとることができる。
【０２０５】
ファン１０Ｈが衣服２に取り付けられ、取付部７６及びバッテリ装置６５に重力以外の力が外側から加えられていない場合には、バッテリ装置６５は、取付部７６によって本体部６２から吊り下げられ、第１状態となる。バッテリ装置６５が第１状態の場合に、ユーザがバッテリ装置６５を後ろ斜め上方に持ち上げると、バッテリ装置６５は第２状態となる。
【０２０６】
以上のような構成を備えるファン１０Ｈが、衣服２の取り付け穴４に取り付けられる場合には、まず、本体部６２から吊り下げられたバッテリ装置６５が持ち上げられて、バッテリ装置６５が第１状態から第２状態に変化させられる。
【０２０７】
次に、第２状態のバッテリ装置６５と、それに接続された取付部７５と、本体部６２のハウジング６３とが、衣服２の外側５００から取り付け穴４に挿入される。このとき、ハウジング６３は、後ろ側部分６３１側から取り付け穴４に挿入される。ハウジング６３が後ろ側部分６３１側から取り付け穴４に挿入される場合には、前側部分６３０のフランジ部６３０ｃは、取り付け穴４を通らずに、衣服２の取り付け穴４の周縁部５の外側５００の面と当たる。
【０２０８】
次に、バッテリ装置６５が第２状態にされた状態で、固定部材１１の取付部１１０の開口が、衣服２の内側５１０から、本体部６２の後方のバッテリ装置６５に近づけられる。そして、固定部材１１の取付部１１０の開口に、バッテリ装置６５、取付部７５及び本体部６２のハウジング６３が順次通される。そして、固定部材１１のフランジ部１１１が衣服２の周縁部５の内側５１０の面と当たりつつ、衣服２の内側５１０に突出している筒状部６３０ｂの外周面の雄ネジ部６３０ｂｂに固定部材１１の取付部１１０の内周面の雌ネジ部１１０ａが螺合するように、固定部材１１が前側部分６３０に取り付けられる。そして、衣服２の内側５１０から見て時計周りに固定部材１１が締め込まれることによって、前側部分６３０のフランジ部６３０ｃと、固定部材１１のフランジ部１１１とが、衣服２の周縁部５を狭持する。その後、バッテリ装置６５が第１状態にされて、ファン１０Ｈの衣服２への取り付けが完了する。
【０２０９】
このように、本例では、バッテリ装置６５が、本体部６２の周囲に位置するように本体部６２に取り付けられることから、バッテリ装置６５と本体部６２を接続するケーブル６８を短くすることができる。よって、ケーブル６８が破損する可能性を低減することができる。その結果、ファン１０Ｈの動作不良が発生する可能性を低減することができる。
【０２１０】
また、ケーブル６８を短くすることができることから、ファン１０Ｈを衣服２に取り付けやすくなる。
【０２１１】
また、本例では、ファン１０ごとに操作部１６３が設けられていることから、ユーザは、各ファン１０の制御を個別に行うことができる。
【０２１２】
また、本例では、バッテリ１７は衣服２の内側５１０に位置することから、バッテリ１７が破損する可能性を低減することができる。
【０２１３】
また、本例では、ファン１０Ｈを衣服２に取り付ける場合に、ケーブル６８を本体部６２に接続する必要がないことから、ファン１０Ｈを衣服２に取り付けやすくなる。また、ファン１０Ｈを衣服２から取り外す場合に、ケーブル６８を本体部６２から取り外す必要がないことから、ファン１０Ｈを衣服２から取り外しやすくなる。
【０２１４】
＜第９の構造例＞
図３５は本例に係るファン１０（ファン１０Ｉと呼ぶことがある）の内部の構造の一例を示す図である。図３５には、衣服２に取り付けられた状態のファン１０Ｉが示されている。図３５に示されるように、ファン１０Ｉは、本体部７２と、バッテリ装置６５と、バッテリ装置６５を保持する保持部７４とを備える。本体部７２は、ハウジング７３と、上述の羽根部１４及びモータ１５とを備える。羽根部１４及びモータ１５はハウジング７３に収容されている。
【０２１５】
ハウジング７３は例えば樹脂で構成されている。ハウジング７３は、上述のファン１０Ｃが備える前側部分３３０（言い換えれば、固定部３３０）と、後ろ側部分７３１と、カバー部７３２とを備える。後ろ側部分７３１には、羽根部１４及びモータ１５が固定される。後ろ側部分７３１は、羽根部１４及びモータ１５を保持する保持部であると言える。前側部分３３０は後ろ側部分７３１対して着脱可能である。前側部分３３０は、羽根部１４等を保持する後ろ側部分７３１を衣服２に固定するための固定部として機能する。以後、後ろ側部分７３１を保持部７３１と呼ぶことがある。
【０２１６】
保持部７３１の外形は、後ろ側から見た場合、略円形を成している。保持部７３１は、背面部７３１ａと、筒状部７３１ｂと、フランジ部７３１ｃとを備える。筒状部７３１ｂは、背面部７３１ａの周縁を取り囲みつつ、当該周縁から前側に突出するように当該周縁に設けられている。背面部７３１ａ及び筒状部７３１ｂには、複数の排気口７３１ｄが設けられている。筒状部７３１ｂの内周面には、固定部３３０の雄ネジ部３３０ｂｂと螺合する雌ネジ部７３１ｂｂが形成されている。固定部３３０の筒状部３３０ｂと、保持部７３１の筒状部７３１ｂとは、雄ネジ部３３０ｂｂと雌ネジ部７３１ｂｂが螺合することによって互いに接続され、ハウジング７３全体の筒状の周壁部（言い換えれば側面部）７３５を構成する。羽根部１４が回転すると、吸気口３３０ａａから空気がハウジング７３内に取り入れられて、ハウジング７３内に取り入れられた空気は、排気口７３１ｄからハウジング７３の外側に排気される。
【０２１７】
フランジ部７３１ｃは、筒状部７３１ｂを取り囲むように筒状部７３１ｂの外周面に設けられている。フランジ部７３１ｃは、筒状部７３１ｂの外周面から筒状部７３１ｂの径方向に突出している。フランジ部７３１ｃは、筒状部７３１ｂの前側の端よりも少しだけ後ろ側に位置する。よって、筒状部７３１ｂの前側の端部７３１ｂａにはフランジ部７３１ｃが設けられていない。
【０２１８】
保持部７３１の背面部７３１ａの外側の面の中央部には、凹部７３１ａａが設けられている。凹部７３１ａａにはモータ１５が固定される。背面部７３１ａの内側の面には、凹部７３１ａａに応じた凸部７３１ａｂが設けられている。羽根部１４の筒状の連結部１４１は凸部７３１ａｂを覆っている。凹部７３１ａａ内のモータ１５の回転軸１５０は凸部７３１ａｂの外側まで延びて羽根部１４の連結部１４１に接続されている。
【０２１９】
カバー部７３２は、保持部７３１の背面部７３１ａの凹部７３１ａａを塞ぐように、背面部７３１ａに取り付けられている。これにより、凹部７３１ａａ内のモータ１５がカバー部７３２で覆われる。
【０２２０】
バッテリ装置６５を保持する保持部７４は、ハウジング７３と一体成形されている。保持部７４は、バッテリ装置６５をハウジング７３に固定する固定部として機能する。保持部７４は、バッテリ装置６５のハウジング６５０の上側の面６５０ｃａを覆う第１部分７４１と、ハウジング６５０の後ろ側の主面６５０ａを覆う第２部分７４２と、ハウジング６５０の前側の主面６５０ｂを覆う第３部分７４３とを備える。第１部分７４１は、保持部７３１の筒状部７３１ｂの下側の部分に接続されている。第２部分７４２は、第１部分７４１から下側に延びて、ハウジング６５０の側面６５０ｃの湾曲した下側の面６５０ｃｂまで到達し、下側の面６５０ｃｂの一部を覆う。同様に、第３部分７４３は、第１部分７４１から下側に延びて下側の面６５０ｃｂまで到達し、下側の面６５０ｃｂの一部を覆う。第２部分７４２には開口部が設けられている。ハウジング６５０の主面６５０ａから露出する発光部１６２ａａ，１６２ａｂ，１６２ａｃ，１６２ａｄ，１６２ａｅ，１６２ａｆ及び操作ボタン１６３ａは、第２部分７４２の開口部を通じて、衣服２の内側５１０から視認可能となっている。
【０２２１】
モータ１５から下側に延びるリード線１９は、ハウジング７３内を通って、保持部７４で保持されているハウジング６５０の上側の面６５０ｃａまで到達し、さらに、上側の面６５０ｃａからハウジング６５０内に入って、ハウジング６５０内の回路基板１６に接続されている。
【０２２２】
以上のような構成を備えるファン１０Ｉが、衣服２の取り付け穴４に取り付けられる場合には、まず、ハウジング７３の保持部７３１が備える筒状部７３１ｂの前側の端部７３１ｂａが、衣服２の内側５１０から取り付け穴４に挿入される。このとき、保持部７３１のフランジ部７３１ｃは、取り付け穴４を通らずに、衣服２の取り付け穴４の周縁部５の内側５１０の面と当たる。また、保持部７４は取り付け穴４を通らずに、衣服２の内側５１０に位置する。
【０２２３】
次に、固定部３３０のフランジ部３３０ｃが衣服２の周縁部５の外側５００の面と当たるように、固定部３３０が衣服２の外側５００から保持部７３１に取り付けられる。具体的には、フランジ部３３０ｃが周縁部５の外側５００の面と当たりつつ、保持部７３１の筒状部７３１ｂの雌ネジ部７３１ｂｂに固定部３３０の筒状部３３０ｂの雄ネジ部３３０ｂｂが螺合するように、固定部３３０が保持部７３１に取り付けられる。そして、衣服２の外側５００から見て時計周りに固定部３３０が締め込まれることによって、固定部３３０のフランジ部３３０ｃと、保持部７３１のフランジ部７３１ｃとが、衣服２の周縁部５を狭持する。これにより、ファン１０Ｉが衣服２に固定される。衣服２に固定されたファン１０Ｉの羽根部１４が回転すると、衣服２の外側５００の空気が吸気口３３０ａａ及び排気口７３１ｄを通じて、衣服２の内側５１０に取り入れられる。
【０２２４】
一方で、ファン１０Ｉが衣服２から取り外される場合には、衣服２の外側５００から見て反時計周りに固定部３３０が回転させられて、固定部３３０が保持部７３１から取り外される。そして、保持部７３１の筒状部７３１ｂの前側の端部７３１ｂａが取り付け穴４から取り出される。
【０２２５】
このように、本例では、バッテリ装置６５が、ハウジング７３の周囲に位置するように本体部７２に固定されていることから、バッテリ装置６５と本体部７２と接続する配線（本例ではリード線１９）を短くすることができる。よって、当該配線が破損する可能性を低減することができる。その結果、ファン１０Ｉの動作不良が発生する可能性を低減することができる。
【０２２６】
また、本例では、バッテリ装置６５と本体部７２とを接続するためのケーブルが不要となることから、ファン１０Iが衣服２に取り付けやすくなる。
【０２２７】
また、本例では、ファン１０ごとに操作部１６３が設けられていることから、ユーザは、各ファン１０の制御を個別に行うことができる。
【０２２８】
また、本例では、バッテリ１７は衣服２の内側５１０に位置することから、バッテリ１７が破損する可能性を低減することができる。
【０２２９】
以上の説明では、ファン１０の様々な構造例について言及した。以下では、ファン１０の様々な動作例について説明する。以下に説明するファン１０の動作例については、上述のファン１０Ａ〜１０Ｉのそれぞれについて適用することが可能である。
【０２３０】
＜第１の動作例＞
本例に係るファン１０は、他の装置と無線通信を行うことが可能である。図３６は本例に係る回路基板１６（回路基板１６Ａと呼ぶことがある）の構成の一例を示す図である。図３６に示されるように、回路基板１６Ａは、基板１６０に設けられた無線通信部１６５を備える。無線通信部１６５は無線通信回路とも言える。無線通信部１６５はアンテナ１６５ａを備えている。無線通信部１６５はアンテナ１６５ａを用いてファン１０の外部の装置と無線通信することが可能である。無線通信部１６５は制御部１６１によって制御される。本例では、ファン１０が電源オフ状態であっても電源オン状態であっても、無線通信部１６５は動作する。アンテナ１６５ａは、基板１６０ではなく、他の部分に設けられてもよい。アンテナ１６５ａは、例えば、ファン１０が備えるハウジングに設けられてもよい。以後、無線通信部１６５が通信することが可能な装置を外部装置と呼ぶことがある。
【０２３１】
無線通信部１６５は、少なくとも一種類の無線通信規格に準拠して外部装置と無線通信することが可能である。無線通信部１６５が準拠する無線通信規格には、例えば近距離無線通信規格が含まれる、例えば、無線通信部１６５が準拠する無線通信規格には、Ｂｌｕｅｔｏｏｔｈ（登録商標）が含まれもよいし、ＺｉｇＢｅｅ（登録商標）が含まれもよいし、ＮＦＣ（Near Field Communication）が含まれもよい。また、無線通信部１６５が準拠する無線通信規格には、ＷｉＦｉ等の、無線ＬＡＮ（Local Area Network）に対応する規格が含まれてもよい。また、無線通信部１６５が準拠する無線通信規格には、ＬＰＷＡ（Low Power Wide Area Network）に対応する規格が含まれもよい。例えば、無線通信部１６５が準拠する無線通信規格には、ＳＩＧＦＯＸが含まれもよいし、ＬｏＲａＷＡＮが含まれもよいし、ＮＢ−ＩｏＴが含まれもよい。以下では、無線通信部１６５がＢｌｕｅｔｏｏｔｈに準拠して外部装置と通信する場合を例に挙げてファン１０の動作について説明する。
【０２３２】
ファン１０が無線通信することが可能な外部装置には様々な装置が含まれる。ファン１０が無線通信することが可能な外部装置には、例えば、他のファン１０、携帯型電子機器及び電動機械が含まれる。ファン１０Ａが無線通信することが可能な携帯型電子機器には、スマートフォン等の携帯電話機、タブレット端末、ノート型のパーソナルコンピュータ、ウェアラブル機器等が含まれる。ファン１０Ａが無線通信することが可能なウェアラブル機器は、リストバンド型あるいは腕時計型等の腕に装着するタイプであってもよいし、ヘッドバンド型あるいはメガネ型等の頭に装着するタイプであってもよいし、服型等の体に装着するタイプであってもよい。
【０２３３】
一例として、複数のファン１０が、Ｂｌｕｅｔｏｏｔｈに準拠して互いに無線通信を行う場合の各ファン１０の動作について説明する。例えば、同じ衣服２に取り付けられる複数のファン１０は互いにペアリングされる。これにより、同じ衣服２に取り付けられる複数のファン１０は、それぞれが電源オン状態のとき、互いに無線通信することが可能となる。以後、特に断らない限り、複数のファン１０と言えば、ペアリングされた複数のファン１０を意味する。また、複数のファン１０のうち、注目する一つのファン１０を対象ファン１０と呼ぶことがある。
【０２３４】
電源オン状態の対象ファン１０の操作ボタン１６３ａに対して短押し操作されると、対象ファン１０の制御部１６１は、モータ１５の回転数を制御することでファン１０Ａの風量を変更し、変更後の風量を示す風量情報を生成する。無線通信部１６５は制御部１６１で生成された風量情報を、複数のファン１０のうち対象ファン１０以外のファン１０に送信する。電源オン状態のファン１０では、無線通信部１６５が風量情報を受信すると、制御部１６１は、モータ１５を制御して、当該ファン１０の風量を、受信された風量情報が示す風量に設定する。これにより、複数のファン１０のうちの一つのファン１０の操作ボタン１６３ａが短押し操作されることによって、複数のファン１０の風量が同じに設定される。
【０２３５】
また、電源オン状態の対象ファン１０の操作ボタン１６３ａに対して長押し操作されると、対象ファン１０の制御部１６１は、対象ファン１０を電源オフ状態にする前に、他のファン１０に対して電源オフ状態にすることを指示する電源オフ信号を生成してもよい。この場合、対象ファン１０が電源オフ状態になる前に、対象ファン１０の無線通信部１６５は電源オフ信号を、複数のファン１０のうち対象ファン１０以外のファン１０に送信する。電源オン状態のファン１０では、無線通信部１６５が電源オフ信号を受信すると、制御部１６１は、ファン１０を電源オフ状態にする。これにより、複数のファン１０のうちの一つのファン１０の操作ボタン１６３ａが長押し操作されることによって、複数のファン１０のすべてが電源オフ状態となる。
【０２３６】
また、電源オフ状態の対象ファン１０の操作ボタン１６３ａに対して長押し操作されると、対象ファン１０の制御部１６１は、対象ファン１０を電源オン状態にするとともに、他のファン１０に対して電源オン状態にすることを指示する電源オン信号を生成してもよい。この場合、対象ファン１０の無線通信部１６５は電源オン信号を、複数のファン１０のうち対象ファン１０以外のファン１０に送信する。電源オフ状態のファン１０では、無線通信部１６５が電源オン信号を受信すると、制御部１６１は、ファン１０を電源オン状態にする。これにより、複数のファン１０のうちの一つのファン１０の操作ボタン１６３ａが長押し操作されることによって、複数のファン１０のすべてが電源オン状態となる。
【０２３７】
他の例として、ファン１０が携帯電話機等の携帯型電子機器と無線通信を行う場合のファン１０及び携帯型電子機器の動作について説明する。図３７は携帯型電子機器８００の構成の一例を示す図である。図３７に示されるように、携帯型電子機器８００は、制御部８０１、無線通信部８０２、表示部８０３、タッチパネル８０４及びセンサ８０５を備える。
【０２３８】
制御部８０１は、携帯型電子機器８００の他の構成要素を制御することによって、携帯型電子機器８００の動作を統括的に管理することが可能である。制御部８０１は制御回路とも言える。制御部８０１は、以下にさらに詳細に述べられるように、種々の機能を実行するための制御及び処理能力を提供するために、少なくとも１つのプロセッサを含む。上述のファン１０の制御部１６１が備える少なくとも一つのプロセッサに関する説明は、制御部８０１が備える少なくとも一つのプロセッサについても適用することができる。なお、制御部８０１の全ての機能あるいは制御部８０１の一部の機能は、その機能の実現にソフトウェアが不要なハードウェア回路によって実現されてもよい。
【０２３９】
無線通信部８０２は、携帯型電子機器８００外部の装置と無線通信することが可能である。無線通信部８０２は無線通信回路とも言える。無線通信部８０２は、少なくとも一種類の無線通信規格に準拠して外部装置と無線通信することが可能である。無線通信部８０２が準拠する無線通信規格には、例えば近距離無線通信規格が含まれる、例えば、無線通信部８０２が準拠する無線通信規格には、Ｂｌｕｅｔｏｏｔｈが含まれもよいし、ＺｉｇＢｅｅが含まれもよいし、ＮＦＣが含まれもよい。また、無線通信部８０２が準拠する無線通信規格には、無線ＬＡＮに対応する規格が含まれてもよい。また、無線通信部８０２が準拠する無線通信規格には、ＬＰＷＡに対応する規格が含まれもよい。例えば、無線通信部８０２が準拠する無線通信規格には、ＳＩＧＦＯＸが含まれもよいし、ＬｏＲａＷＡＮが含まれもよいし、ＮＢ−ＩｏＴが含まれもよい。
【０２４０】
表示部８０３は、例えば、液晶ディスプレイあるいは有機ＥＬディスプレイである。表示部８０３は、制御部８０１によって制御されることによって、文字、記号、図形などの各種情報を表示面８０３ａに表示することが可能である。
【０２４１】
タッチパネル８０４は、表示面８０３ａに対する指等の操作子による操作を検出することが可能である。タッチパネル８０４は、例えば、投影型静電容量方式のタッチパネルである。ユーザが指等の操作子によって、表示面８０３ａに対して操作を行ったとき、その操作に応じた電気信号をタッチパネル８０４は制御部８０１に入力することが可能である。制御部８０１は、タッチパネル８０４からの電気信号に基づいて、表示面８０３ａに対して行われた操作の内容を特定することが可能である。そして制御部８０１は、特定した操作内容に応じた処理を行うことが可能である。
【０２４２】
センサ８０５は、例えば、加速度センサを備える。センサ８０５は、加速度センサ以外のセンサを備えてもよい。例えば、センサ８０５は、近接センサ、ジャイロセンサ、指紋センサ、温度センサ、気圧センサ、位置検出センサ及び地磁気センサの少なくとも一つのセンサを備えてもよい。
【０２４３】
携帯型電子機器８００の構成は上記の例に限られない。携帯型電子機器８００は、例えば、スピーカ及びマイクを備えてもよい。また、携帯型電子機器８００は、ＬＥＤ等の発光部を備えてもよい。
【０２４４】
ファン１０と携帯型電子機器８００とがペアリングされると、ファン１０と携帯型電子機器８００は、Ｂｌｕｅｔｏｏｔｈに準拠して互いに無線通信を行うことが可能となる。携帯型電子機器８００は、ファン１０と無線通信を行うことによって、ファン１０の動作を制御してもよい。
【０２４５】
例えば、携帯型電子機器８００の制御部８０１は、タッチパネル８０４が、表示面８０３ａに対する所定の操作を検出すると、ファン１０を電源オン状態にするための画面８１０を表示部８０３に表示させる。図３８は、表示面８０３ａに表示される画面８１０の一例を示す図である。
【０２４６】
図３８に示されるように、画面８１０には、第１操作ボタン８１１と、第２操作ボタン８１２とが示される。タッチパネル８０４が第１操作ボタン８１１に対する操作を検出すると、制御部８０１は、ファン１０に対して電源オン状態にすることを指示する電源オン信号を生成する。一方で、タッチパネル８０４が第２操作ボタン８１２に対する操作を検出すると、制御部８０１は電源オン信号を生成しない。制御部８０１が電源オン信号を生成すると、無線通信部８０２は生成された電源オン信号をファン１０に送信する。電源オフ状態のファン１０では、無線通信部１６５が電源オン信号を受信すると、制御部１６１は、ファン１０を電源オン状態にする。
【０２４７】
このように、携帯型電子機器８００のユーザは、表示面８０３ａに対して所定の操作を行うことによって、ファン１０を電源オン状態にすることができる。
【０２４８】
また、携帯型電子機器８００の制御部８０１は、タッチパネル８０４が、表示面８０３ａに対する所定の操作を検出すると、ファン１０を電源オフ状態にするための画面８２０を表示部８０３に表示させてもよい。図３９は、表示面８０３ａに表示される画面８２０の一例を示す図である。
【０２４９】
図３９に示されるように、画面８２０には、第１操作ボタン８２１と、第２操作ボタン８２２とが示される。タッチパネル８０４が第１操作ボタン８２１に対する操作を検出すると、制御部８０１は、ファン１０に対して電源オフ状態にすることを指示する電源オフ信号を生成する。一方で、タッチパネル８０４が第２操作ボタン８２２に対する操作を検出すると、制御部８０１は電源オフ信号を生成しない。制御部８０１が電源オフ信号を生成すると、無線通信部８０２は生成された電源オフ信号をファン１０に送信する。電源オン状態のファン１０では、無線通信部１６５が電源オフ信号を受信すると、制御部１６１は、ファン１０を電源オフ状態にする。
【０２５０】
このように、携帯型電子機器８００のユーザは、表示面８０３ａに対して所定の操作を行うことによって、ファン１０を電源オフ状態にすることができる。
【０２５１】
また、携帯型電子機器８００は、ファン１０と無線通信を行うことによって、ファン１０の風量を設定してもよい。例えば、タッチパネル８０４が表示面８０３ａに対する所定の操作を検出すると、制御部８０１は、ファン１０の風量を設定するための画面８３０を表示部８０３に表示させる。図４０は、表示面８０３ａに表示される画面８３０の一例を示す図である。
【０２５２】
図４０に示されるように、画面８３０には、第１操作ボタン８３１と、第２操作ボタン８３２と、第３操作ボタン８３３とが示される。タッチパネル８０４が第１操作ボタン８３１に対する操作を検出すると、制御部８０１は、ファン１０に対して風量を「大」に設定することを指示する第１風量信号を生成する。制御部８０１で生成された第１風量信号は無線通信部８０２からファン１０に送信される。また、タッチパネル８０４が第２操作ボタン８３２に対する操作を検出すると、制御部８０１は、ファン１０に対して風量を「中」に設定することを指示する第２風量信号を生成する。制御部８０１で生成された第２風量信号は無線通信部８０２からファン１０に送信される。そして、タッチパネル８０４が第３操作ボタン８３３に対する操作を検出すると、制御部８０１は、ファン１０に対して風量を「小」に設定することを指示する第３風量信号を生成する。制御部８０１で生成された第３風量信号は無線通信部８０２からファン１０に送信される。
【０２５３】
電源オン状態のファン１０では、無線通信部１６５が第１風量信号を受信すると、制御部１６１は、モータ１５を制御して、ファン１０の風量を「大」に設定する。また、無線通信部１６５が第２風量信号を受信すると、制御部１６１は、モータ１５を制御して、ファン１０の風量を「中」に設定する。そして、無線通信部１６５が第３風量信号を受信すると、制御部１６１は、モータ１５を制御して、ファン１０の風量を「小」に設定する。
【０２５４】
このように、携帯型電子機器８００のユーザは、表示面８０３ａに対して所定の操作を行うことによって、ファン１０の風量を設定することができる。
【０２５５】
また、ファン１０は、自身に関する情報をファン情報として携帯型電子機器８００に送信してもよい。この場合、ファン１０が電源オン状態の場合、制御部１６１がファン情報を生成する。そして、無線通信部１６５がファン情報を携帯型電子機器８００に送信する。携帯型電子機器８００では、無線通信部８０２がファン情報を受信すると、制御部８０１は、受信されたファン情報を、例えば表示部８０３に表示させる。
【０２５６】
ファン情報には、例えば、ファン１０のバッテリ１７の残量が含まれてもよい。また、ファン情報には、ファン１０の連続作動時間が含まれてもよい。連続作動時間は、ファン１０の羽根部１４が連続して回転している時間を意味する。言い換えれば、連続作動時間は、ファン１０のモータ１５が連続して回転している時間を意味する。また、ファン情報には、残りの作動可能時間が含まれてもよい。残りの作動可能時間は、ファン１０の羽根部１４が現在から引き続き連続して回転することが可能な時間を意味する。言い換えれば、残りの作動可能時間は、ファン１０のモータ１５が現在から引き続き連続して回転することが可能な時間を意味する。ファン１０の制御部１６１は、バッテリ１７の残量に基づいて、残りの作動可能時間を求めることができる。
【０２５７】
図４１は、携帯型電子機器８００の表示部８０３がファン情報を表示する場合に表示面８０３ａに表示される画面８４０の一例を示す図である。画面８４０にはファン情報が示されている。具体的には、画面８４０には、バッテリ１７の残量を示す第１情報８４１と、連続作動時間を示す第２情報８４２と、残りの作動可能時間を示す第３情報８４３とが示されている。
【０２５８】
なお、ファン情報には、他の情報が含まれてもよい。ファン情報には、例えば、ファン１０の現在の風量が含まれてもよい。
【０２５９】
他の例として、ファン１０が電動機械と無線通信を行う場合のファン１０及び電動機械の動作について説明する。図４２は電動機械８５０の電気的な構成の一例を示す図である。電動機械８５０は、例えば、それが使用されているときに粉塵が多く発生する電動機械である。例えば、電動機械８５０は、それが使用されているときに粉塵が多く発生する電動工具、チェンソー、ヘッジトリマあるいは刈払機である。それが使用されているときに粉塵が多く発生する電動工具には、例えば、ディスクグラインダ、丸鋸及びスチールカッタが含まれる。
【０２６０】
図４２に示されるように、電動機械８５０は、制御部８５１、無線通信部８５２及びモータ８５３を備える。モータ８５３は、電動機械８５０の可動部を動作させる。電動機械８５０の可動部は、例えば、砥石、チップソーあるいはブレードである。
【０２６１】
制御部８５１は、電動機械８５０の他の構成要素を制御することによって、電動機械８５０の動作を統括的に管理することが可能である。制御部８５１は制御回路とも言える。制御部８５１は、以下にさらに詳細に述べられるように、種々の機能を実行するための制御及び処理能力を提供するために、少なくとも１つのプロセッサを含む。ファン１０の制御部１６１が備える少なくとも一つのプロセッサについての上記の説明は、電動機械８５０の制御部８５１が備える少なくとも一つのプロセッサについても適用することができる。なお、制御部８５１の全ての機能あるいは制御部８５１の一部の機能は、その機能の実現にソフトウェアが不要なハードウェア回路によって実現されてもよい。
【０２６２】
無線通信部８５２は、電動機械８５００外部の装置と無線通信することが可能である。無線通信部８５２は無線通信回路とも言える。無線通信部８５２は、少なくとも一種類の無線通信規格に準拠して外部装置と無線通信することが可能である。無線通信部８５２が準拠する無線通信規格には、例えば近距離無線通信規格が含まれる、例えば、無線通信部８０２が準拠する無線通信規格には、Ｂｌｕｅｔｏｏｔｈが含まれもよいし、ＺｉｇＢｅｅが含まれもよいし、ＮＦＣが含まれもよい。また、無線通信部８５２が準拠する無線通信規格には、無線ＬＡＮに対応する規格が含まれてもよい。また、無線通信部８５２が準拠する無線通信規格には、ＬＰＷＡに対応する規格が含まれもよい。例えば、無線通信部８５２が準拠する無線通信規格には、ＳＩＧＦＯＸが含まれもよいし、ＬｏＲａＷＡＮが含まれもよいし、ＮＢ−ＩｏＴが含まれもよい。
【０２６３】
ファン１０と電動機械８５０とがペアリングされると、ファン１０と電動機械８５０とは、Ｂｌｕｅｔｏｏｔｈに準拠して互いに無線通信を行うことが可能となる。電動機械８５０と無線通信可能なファン１０は、電動機械８５０の動作に関する動作情報を電動機械８５０から受信し、受信した動作情報に基づいてモータ１５を制御してもよい。
【０２６４】
例えば、電動機械８５０を使用する作業者が、ファン付き衣服１を着た状態で作業を行う場合を考える。この場合、電動機械８５０とファン付き衣服１が備える各ファン１０とがペアリングされる。これにより、作業者が使用する電動機械８５０と、当該作業者が着るファン付き衣服１の各ファン１０とは、Ｂｌｕｅｔｏｏｔｈに準拠して互いに無線通信を行うことが可能となる。
【０２６５】
ファン付き衣服１の各ファン１０と無線通信可能な電動機械８５０の制御部８５１は、電動機械８５０の作動が開始すると、言い換えれば、モータ８５３の回転が開始すると、動作情報として作動開始情報を生成する。作動開始情報は、電動機械８５０の作動が開始したことを示す情報である。無線通信部８５２は、制御部８５１が生成した作動開始情報をファン１０に送信する。
【０２６６】
また、制御部８５１は、電動機械８５０の作動が終了すると、言い換えれば、モータ８５３の回転が停止すると、動作情報として作動終了情報を生成する。作動終了情報は、電動機械８５０の作動が終了したことを示す情報である。無線通信部８５２は、制御部８５１が生成した作動終了情報をファン１０に送信する。
【０２６７】
電動機械８５０とペアリングされた電源オン状態のファン１０では、無線通信部８０２が作動開始情報を受信すると、制御部８０１は、モータ１５の回転を停止して、羽根部１４の回転を停止する。その後、無線通信部８０２が作動終了情報を受信すると、制御部８０１は、モータ１５を回転させて、羽根部１４を回転させる。このとき、制御部８０１は、無線通信部８０２が作動終了情報を受信してから所定時間が経過した後に、モータ１５を回転させてもよい。所定時間は、例えば、数分程度に設定される。
【０２６８】
このように、ファン１０が、作動開始情報を受信した場合にモータ１５の回転を停止することによって、その使用時に粉塵が発生する電動機械８５０が作動しているときに、ファン１０の羽根部１４は回転しなくなる。粉塵が発生している状況でファン１０の羽根部１４が回転する場合には、ファン１０が粉塵を吸い込む可能性がある。ファン１０が粉塵を吸い込む場合には、ファン１０が故障する可能性がある。また、衣服２の内側５１０に粉塵が入り込み、衣服２を着る作業者が不快を感じる可能性がある。電動機械８５０が作動しているときに、ファン１０の羽根部１４が回転しないことによって、ファン１０が故障したり、衣服２の内側５１０に粉塵が入り込んだりする可能性を低減することができる。
【０２６９】
また、ファン１０が、作動終了情報を受信してから所定時間が経過した後に、モータ１５の回転を停止することによって、その使用時に粉塵が発生する電動機械８５０の作動が終了してから所定時間後に、ファン１０の羽根部１４が回転するようになる。電動機械８５０の作動が終了した後はしばらくの間の粉塵が空中に存在する可能性があることから、電動機械８５０の作動が終了したすぐにファン１０の羽根部１４が回転すると、ファン１０が粉塵を吸い込む可能性がある。本例のように、電動機械８５０の作動が終了してから所定時間後に、ファン１０の羽根部１４が回転するようになる場合には、ファン１０が粉塵を吸い込む可能性を低減することができる。
【０２７０】
なお、電動機械８５０がファン１０に送信する動作情報は、上記の例に限られない。
【０２７１】
＜第２の動作例＞
本例に係るファン１０は、センサの検出結果に基づいて、モータ１５を制御することが可能である。図４３は本例に係るファン１０の電気的構成を主に示すブロック図である。図４３に示されるように、本例に係るファン１０は、ファン１０が取り込む空気の温度を検出する温度センサ９００を備える。温度センサ９００は、例えば、ファン１０のハウジングに設けられた吸気口の近くに配置される。温度センサ９００は、ファン１０が取り込む空気の温度を繰り返し検出する。
【０２７２】
本例では、制御部１６１は、温度センサ９００の検出結果に基づいて、モータ１５を制御する。例えば、制御部１６１は、温度センサ９００で検出される温度が高いほど、モータ１５の回転速度を上げる。これにより、温度センサ９００で検出される温度が高いほど、ファン１０の風量が大きくなる。以後、温度センサ９００で検出される温度を検出温度と呼ぶことがある。
【０２７３】
制御部１６１は、検出温度が低い場合、モータ１５の回転速度を第１速度に設定して、ファン１０の風量を「小」に設定する。制御部１６１は、検出温度が例えば１５度未満の場合、検出温度が低いと判定する。また、制御部１６１は、検出温度が中程度の場合、モータ１５の回転速度を第２速度に設定して、ファン１０の風量を「中」に設定する。制御部１６１は、検出温度が例えば１５度以上２５度未満の場合、検出温度が中程度であると判定する。そして、制御部１６１は、検出温度が高い場合、モータ１５の回転速度を第３速度に設定して、ファン１０の風量を「大」に設定する。制御部１６１は、検出温度が例えば２５度以上の場合、検出温度が高いと判定する。制御部１６１は、温度センサ９００において検出温度が得られるたびに、検出温度に基づいて、ファン１０の風量を設定する。
【０２７４】
このように、ファン１０のモータ１５が、温度センサ９００の検出結果に基づいて制御されることにより、ファン１０が取り込む空気の温度に応じてモータ１５が適切に制御される。
【０２７５】
ファン１０は、図４４に示されるように、当該ファン１０が取り込む空気の湿度を検出する湿度センサ９０１を備えてもよい。湿度センサ９０１は、温度センサ９００と同様に、例えば、ファン１０のハウジングに設けられた吸気口の近くに配置される。湿度センサ９０１は、ファン１０が取り込む空気の湿度を繰り返し検出する。
【０２７６】
ファン１０が湿度センサ９０１を備える場合には、制御部１６１は、湿度センサ９０１の検出結果に基づいて、モータ１５を制御してもよい。例えば、制御部１６１は、湿度センサ９０１で検出される湿度が高いほど、モータ１５の回転速度を上げる。これにより、湿度センサ９０１で検出される湿度が高いほど、ファン１０の風量が大きくなる。以後、湿度センサ９０１で検出される湿度を検出湿度と呼ぶことがある。
【０２７７】
制御部１６１は、検出湿度が低い場合、モータ１５の回転速度を制御して、ファン１０の風量を「小」に設定する。制御部１６１は、検出湿度が例えば８５度未満の場合、検出湿度が低いと判定する。また、制御部１６１は、検出湿度が中程度の場合、モータ１５の回転速度を制御して、ファン１０の風量を「中」に設定する。制御部１６１は、検出湿度が例えば８５％以上９０％未満の場合、検出湿度が中程度であると判定する。そして、制御部１６１は、検出湿度が高い場合、モータ１５の回転速度を制御して、ファン１０の風量を「大」に設定する。制御部１６１は、検出湿度が例えば９０％以上の場合、検出湿度が高いと判定する。制御部１６１は、湿度センサ９０１において検出湿度が得られるたびに、検出湿度に基づいて、ファン１０の風量を設定する。
【０２７８】
このように、ファン１０のモータ１５が、湿度センサの検出結果に基づいて制御されることにより、ファン１０が取り込む空気の湿度に応じてモータ１５が適切に制御される。
【０２７９】
ファン１０は、図４５に示されるように、温度センサ９００及び湿度センサ９０１を備えてもよい。言い換えれば、ファン１０は、温度センサ９００及び湿度センサ９０１から成る複合センサを備えてもよい。この場合、制御部１６１は、例えば、複合センサでの検出温度及び検出湿度に基づいて不快指数を繰り返し求める。そして、制御部１６１は、不快指数を求めるたびに、求めた不快指数に基づいてモータ１５を制御する。例えば、制御部１６１は、不快指数が小さい場合、モータ１５の回転速度を制御して、ファン１０の風量を「小」に設定する。制御部１６１は、不快指数が例えば７０未満の場合、不快指数が低いと判定する。また、制御部１６１は、不快指数が中程度の場合、モータ１５の回転速度を制御して、ファン１０の風量を「中」に設定する。制御部１６１は、不快指数が例えば７０以上であって８０未満の場合、不快指数が中程度であると判定する。そして、制御部１６１は、不快指数が高い場合、モータ１５の回転速度を制御して、ファン１０の風量を「大」に設定する。制御部１６１は、不快指数が例えば８０以上の場合、不快指数が高いと判定する。
【０２８０】
このように、ファン１０のモータ１５が、当該ファン１０が取り込む空気の温度及び湿度を検出するセンサの検出結果に基づいて制御されることにより、ファン１０が取り込む空気の温度及び湿度に応じてモータ１５が適切に制御される。
【０２８１】
ファン１０は、図４６に示されるように、当該ファン１０の加速度を検出する加速度センサ９０２を備えてもよい。加速度センサ９０２は、例えば３軸加速度センサである。加速度センサ９０２は、基板１６０以外に設けられてもよいし、基板１６０に設けられてもよい。ファン１０が加速度センサ９０２を備える場合には、制御部１６１は、加速度センサ９０２の検出結果に基づいて、モータ１５を制御してもよい。以後、加速度センサ９０２で検出される加速度を検出加速度と呼ぶことがある。
【０２８２】
制御部１６１は、検出加速度に基づいて、ファン１０が取り付けられた衣服２を着ているユーザの単位時間あたりの運動量を繰り返し求める。ユーザの単位時間あたりの運動量としては、例えば、ユーザについての単位時間あたりの消費カロリーが採用される。制御部１６１は、単位時間あたりの運動量が小さい場合、モータ１５の回転速度を制御して、ファン１０の風量を「小」に設定する。また、制御部１６１は、単位時間あたりの運動量が中程度である場合、モータ１５の回転速度を制御して、ファン１０の風量を「中」に設定する。そして、制御部１６１は、単位時間あたりの運動量が大きい場合、モータ１５の回転速度を制御して、ファン１０の風量を「大」に設定する。制御部１６１は、単位時間あたりの運動量を求めるたびに、求めた運動量に基づいてファン１０の風量を設定する。
【０２８３】
このように、ファン１０のモータ１５が、加速度センサ９０２の検出結果に基づいて制御されることにより、モータ１５が適切に制御される。なお、ユーザの単位時間あたりの運動量としては、他の情報が採用されてもよい。例えば、ユーザの単位時間あたりの運動量として、ユーザの単位時間あたりの歩数が採用されてもよい。
【０２８４】
ファン１０は、図４７に示されるように、当該ファン１０が取り込む粉塵を検出する粉塵センサ９０３を備えてもよい。粉塵センサ９０３は、温度センサ９００及び湿度センサ９０１と同様に、例えば、ファン１０のハウジングに設けられた吸気口の近くに配置される。粉塵センサ９０３の検出方式は、光学式であってもよいし、他の方式であってもよい。粉塵センサ９０３は、ほこりセンサとも呼ばれる。粉塵センサ９０３は、例えば、ファン１０が取り込む粉塵の濃度を繰り返し算出して出力する。以後、粉塵センサ９０３が出力する粉塵濃度を検出粉塵濃度と呼ぶことがある。
【０２８５】
ファン１０が粉塵センサ９０３を備える場合には、制御部１６１は、粉塵センサ９０３の検出結果に基づいて、モータ１５を制御してもよい。図４８は、制御部１６１が粉塵センサ９０３の検出結果に基づいてモータ１５を制御する場合の当該制御部１６１の動作の一例を示すフローチャートである。
【０２８６】
図４８に示されるように、ステップｓ１において、制御部１６１は、検出粉塵濃度が高いか否かを判定する。制御部１６１は、例えば、検出粉塵濃度がしきい値以上の場合、検出粉塵能動が高いと判定する。一方で、制御部１６１は、検出粉塵濃度がしきい値未満の場合、検出粉塵能動が低いと判定する。
【０２８７】
ステップｓ１において、検出粉塵濃度が高いと判定されると、ステップｓ２において、制御部１６１はモータ１５の回転を所定時間停止する。所定時間は例えば１分から数分程度に設定される。制御部１６１はモータ１５の回転を所定時間停止した後、ステップｓ２を再度実行する。以後、制御部１６１は同様に動作する。
【０２８８】
ステップｓ１において、検出粉塵濃度が低いと判定されると、ステップｓ３において、制御部１６１はモータ１５を回転させる。ステップｓ３の実行時に、モータ１５の回転が停止している場合には、ステップｓ３において、制御部１６１はモータ１５の回転を開始する。一方で、ステップｓ３の実行時に、モータ１５が回転している場合には、ステップｓ３において、制御部１６１はモータ１５の回転を維持する。制御部１６１は、ステップｓ３の後、再度ステップｓ２を実行する。以後、制御部１６１は同様に動作する。
【０２８９】
このように、ファン１０のモータ１５が、粉塵センサ９０３の検出結果に基づいて制御されることにより、モータ１５が適切に制御される。なお、ステップｓ１において、制御部１６１は、検出粉塵濃度が高い状態が所定時間以上継続しているか否かを判定してもよい。
【０２９０】
ファン１０は、温度センサ９００、湿度センサ９０１、加速度センサ９０２及び粉塵センサ９０３のうちの２つ以上のセンサを備えてもよい。言い換えれば、ファン１０は、温度センサ９００、湿度センサ９０１、加速度センサ９０２及び粉塵センサ９０３のうちの２つ以上のセンサを備える複合センサであってもよい。また、ファン１０は、温度センサ９００、湿度センサ９０１、加速度センサ９０２及び粉塵センサ９０３のうちの少なくとも一つのセンサと、上述の無線通信部８５２とを備えてもよい。
【０２９１】
以上のように、ファン付き衣服１及びファン１０は詳細に説明されたが、上記した説明は、全ての局面において例示であって、この開示がそれに限定されるものではない。また、上述した各種例は、相互に矛盾しない限り組み合わせて適用可能である。そして、例示されていない無数の例が、この開示の範囲から外れることなく想定され得るものと解される。
【符号の説明】
【０２９２】
１  ファン付き衣服
２  衣服
１０，１０Ａ〜１０Ｉ  ファン
１３，２３，３３，４３，５３，６３，７３  ハウジング
１４  羽根部
１５  モータ
１６  回路基板
１７  バッテリ
２１  固定部材
１６２  表示部
１６３  操作部
１６５  無線通信部
１３０，２３０，３３０，４３０，５３０  吸気部
３３１，５３１  保持部
９００  温度センサ
９０１  湿度センサ
９０２  加速度センサ
９０３  粉塵センサ
【図１】
0006878706.tif 000002
【図２】
0006878706.tif 000003
【図３】
0006878706.tif 000004
【図４】
0006878706.tif 000005
【図５】
0006878706.tif 000006
【図６】
0006878706.tif 000007
【図７】
0006878706.tif 000008
【図８】
0006878706.tif 000009
【図９】
0006878706.tif 000010
【図１０】
0006878706.tif 000011
【図１１】
0006878706.tif 000012
【図１２】
0006878706.tif 000013
【図１３】
0006878706.tif 000014
【図１４】
0006878706.tif 000015
【図１５】
0006878706.tif 000016
【図１６】
0006878706.tif 000017
【図１７】
0006878706.tif 000018
【図１８】
0006878706.tif 000019
【図１９】
0006878706.tif 000020
【図２０】
0006878706.tif 000021
【図２１】
0006878706.tif 000022
【図２２】
0006878706.tif 000023
【図２３】
0006878706.tif 000024
【図２４】
0006878706.tif 000025
【図２５】
0006878706.tif 000026
【図２６】
0006878706.tif 000027
【図２７】
0006878706.tif 000028
【図２８】
0006878706.tif 000029
【図２９】
0006878706.tif 000030
【図３０】
0006878706.tif 000031
【図３１】
0006878706.tif 000032
【図３２】
0006878706.tif 000033
【図３３】
0006878706.tif 000034
【図３４】
0006878706.tif 000035
【図３５】
0006878706.tif 000036
【図３６】
0006878706.tif 000037
【図３７】
0006878706.tif 000038
【図３８】
0006878706.tif 000039
【図３９】
0006878706.tif 000040
【図４０】
0006878706.tif 000041
【図４１】
0006878706.tif 000042
【図４２】
0006878706.tif 000043
【図４３】
0006878706.tif 000044
【図４４】
0006878706.tif 000045
【図４５】
0006878706.tif 000046
【図４６】
0006878706.tif 000047
【図４７】
0006878706.tif 000048
【図４８】
0006878706.tif 000049